(57)【要約】  本発明は、第１の搬送波上のユーザ機器（ＵＥ）の送信電力と、第２の搬送波上の送信電力とを決定するステップと、第１の搬送波上の送信電力に従い、第１の搬送波上でＵＥによって送信された第１のアップリンクサービスを受信し、第２の搬送波上の送信電力に従い、第２の搬送波上でＵＥによって送信された第２のアップリンクサービスを受信するステップとを含む電力配分方法を提供する。電力配分装置、記憶媒体、及びプロセッサが、開示されている。【選択図】図１
2020529752.tif 000002
【特許請求の範囲】
【請求項１】
第１の搬送波上のユーザ機器（ＵＥ）の送信電力と、第２の搬送波上の前記ＵＥの送信電力とを決定するステップと、
前記第１の搬送波上の前記送信電力に従い、前記第１の搬送波上で前記ＵＥによって送信された第１のアップリンクトラフィックを受信し、前記第２の搬送波上の前記送信電力に従い、前記第２の搬送波上で前記ＵＥによって送信された第２のアップリンクトラフィックを受信するステップと
を含む電力配分方法。
【請求項２】
第１の搬送波上のＵＥの送信電力と第２の搬送波上の送信電力とを決定する前記ステップが、
前記ＵＥの最大送信電力を決定するステップと、
全体の送信電力を、前記第１の搬送波と前記第２の搬送波とに割り当てるステップであって、前記全体の送信電力の値は、前記最大送信電力の値以下である、ステップと
を含む、請求項１に記載の方法。
【請求項３】
全体の送信電力を、前記第１の搬送波と前記第２の搬送波とに割り当てる前記ステップが、
前記第１の搬送波と前記第２の搬送波との伝播品質を比較するステップと、
前記伝播品質に従い、前記全体の送信電力を、前記第１の搬送波と前記第２の搬送波とに割り当てるステップとを含んでおり、
前記第１の搬送波に割り当てられた送信電力は、前記第１の搬送波の伝播品質と負の相関を有し、前記第２の搬送波に割り当てられた送信電力は、前記第２の搬送波の伝播品質と負の相関を有する、請求項２に記載の方法。
【請求項４】
全体の送信電力を、前記第１の搬送波と前記第２の搬送波とに割り当てる前記ステップが、
アップリンクトラフィックを前記第１の搬送波上で送信するための前記ＵＥの優先順位と、アップリンクトラフィックを前記第２の搬送波上で送信するための前記ＵＥの優先順位とを決定するステップと、
前記全体の送信電力を前記第１の搬送波と前記第２の搬送波とに前記優先順位に従って割り当てるステップと
を含む、請求項２に記載の方法。
【請求項５】
全体の送信電力を、前記第１の搬送波と前記第２の搬送波とに割り当てる前記ステップが、
前記第１の搬送波に対応する第１の最小の保証された電力を、前記第１の搬送波に割り当て、前記第２の搬送波に対応する第２の最小の保証された電力を、前記第２の搬送波に割り当てるステップと、
トラフィックを送信するための前記ＵＥの優先順位又は前記第１の搬送波と前記第２の搬送波との伝播品質に従って、前記全体の送信電力の残存電力を割り当てるステップと、
を含む、請求項２に記載の方法。
【請求項６】
第１のタイプのサブフレーム若しくはスロット又は第２のタイプのサブフレーム若しくはスロットを、半静的に構成するステップであって、前記第１のタイプのサブフレーム又はスロットは、前記ＵＥが、異なる搬送波のトラフィック又は異なる無線アクセス技術（ＲＡＴ）のトラフィックの一方を、同じサブフレーム又はスロットにおいて同時に送信するのに用いられ、前記第２のタイプのサブフレーム又はスロットは、前記ＵＥが、単一の搬送波のトラフィック又は単一のＲＡＴのトラフィックの一方を、同じサブフレーム又はスロットにおいて送信するのに用いられる、ステップと、
第３のタイプのサブフレーム若しくはスロット又は第４のタイプのサブフレーム若しくはスロットを、半静的に構成するステップであって、前記第３のタイプのサブフレーム又はスロットは、前記ＵＥが、前記第１の搬送波のトラフィックを前記第３のタイプのサブフレーム又はスロットにおいて送信するのに用いられ、前記第４のタイプのサブフレーム又はスロットは、前記ＵＥが、前記第２の搬送波のトラフィックを前記第４のタイプのサブフレーム又はスロットにおいて送信するのに用いられる、ステップと、
第５のタイプのサブフレーム又はスロットを、半静的に構成するステップであって、前記第５のタイプのサブフレーム又はスロットは、前記ＵＥが、前記第１の搬送波の前記トラフィック又は前記第２の搬送波の前記トラフィックを固定的に送信するのに用いられる、ステップと
のうちの一つをさらに含む、請求項１から５のいずれか一項に記載の方法。
【請求項７】
半静的に構成するステップが、
上位レイヤ無線リソース制御（ＲＲＣ）シグナリングを通じて構成するステップ、又は
システム情報を通じて構成するステップを含む、
請求項６に記載の方法。
【請求項８】
前記第１の搬送波と前記第２の搬送波とが、それぞれ、
前記第１の搬送波は専用搬送波であり、前記第２の搬送波は補助的アップリンク周波数（ＳＵＬ）である、
前記第１の搬送波は前記専用搬送波であり、前記第２の搬送波は配分された搬送波である、
前記第１の搬送波は第１のＲＡＴの搬送波であり、前記第２の搬送波は第２のＲＡＴの搬送波である、又は
前記第１の搬送波は第１のトラフィックタイプを搬送する搬送波であり、前記第２の搬送波は第２のトラフィックタイプを搬送する搬送波である、
のうちの一つである、請求項１に記載の方法。
【請求項９】
前記第１の搬送波は、デュアルコネクティビティ（ＤＣ）シナリオにおける、マスタ基地局若しくはマスタセルグループ（ＭＣＧ）の搬送波であり、前記第２の搬送波は、前記ＤＣシナリオにおける、セカンダリ基地局若しくはセカンダリセルグループ（ＳＣＧ）の搬送波である、又は
前記第１の搬送波は、前記ＤＣシナリオにおける、前記セカンダリ基地局若しくは前記ＳＧＣの前記搬送波であり、前記第２の搬送波は、前記ＤＣシナリオにおける、前記マスタ基地局若しくは前記ＭＣＧの前記搬送波である、請求項１に記載の方法。
【請求項１０】
前記第１の搬送波の前記送信電力に従い、前記第１の搬送波上で前記ＵＥによって送信された第１のアップリンクトラフィックを受信し、前記第２の搬送波の前記送信電力に従い、前記第２の搬送波上で前記ＵＥによって送信された第２のアップリンクトラフィックを受信する前記ステップが、
前記第１の搬送波上で前記ＵＥによって第１の時間で送信された第１のアップリンクトラフィックを受信し、前記第２の搬送波上で前記ＵＥによって第２の時間で送信された第２のアップリンクトラフィックを受信するステップであって、前記第１のアップリンクトラフィックは前記第２のアップリンクトラフィックと同じである、ステップ、
前記第１の搬送波上で前記ＵＥによって第３の時間で送信された第１のアップリンクトラフィックを受信し、前記第２の搬送波上で前記ＵＥによって第４の時間で送信された第２のアップリンクトラフィックを受信するステップであって、前記第１のアップリンクトラフィックは前記第２のアップリンクトラフィックと異なる、ステップ、又は
前記第１の搬送波と前記第２の搬送波との上で前記ＵＥによって同時にそれぞれ送信される第１のアップリンクトラフィックと第２のアップリンクトラフィックとを受信するステップであって、前記第１のアップリンクトラフィックと前記第２のアップリンクトラフィックとは同じ若しくは異なる、ステップ、
のうちの一つを含む、請求項１から９のいずれか一項に記載の方法。
【請求項１１】
前記アップリンクトラフィックが、
新たな無線（ＮＲ）のアップリンクトラフィック又はロングタームエボリューション（ＬＴＥ）のアップリンクトラフィックの少なくとも一方を含む、請求項１０に記載の方法。
【請求項１２】
前記第１の搬送波と前記第２の搬送波との上で前記ＵＥによって同時にそれぞれ送信される第１のアップリンクトラフィックと第２のアップリンクトラフィックとを受信する前記ステップが、
ＬＴＥの配分された搬送波上で前記ＵＥによって送信されたＬＴＥアップリンクトラフィックを受信する間に、ＮＲの専用搬送波上で前記ＵＥによって送信されたＮＲアップリンクトラフィックを受信するステップ、又は
前記ＬＴＥの配分された搬送波上で前記ＵＥによって送信された前記ＬＴＥアップリンクトラフィック及びＮＲアップリンクトラフィックを受信する間に、前記ＮＲの専用搬送波上で前記ＵＥによって送信された前記ＮＲアップリンクトラフィックを受信するステップ
の一方を含む、請求項１１に記載の方法。
【請求項１３】
第１の搬送波上のＵＥの送信電力と第２の搬送波上の前記ＵＥの送信電力とを決定する前記ステップの前に、
前記ＵＥのダウンリンク搬送波の経路損失の計算に従い、前記ＵＥのアップリンク送信電力を取得するステップをさらに含む、請求項１に記載の方法。
【請求項１４】
第１の搬送波上のＵＥの送信電力と第２の搬送波上の前記ＵＥの送信電力とを決定する前記ステップが、
前記ＵＥが基地局にアクセスするときに、前記第１の搬送波上の前記送信電力と前記第２の搬送波上の前記送信電力とを決定するステップ、又は
前記ＵＥが接続状態にある場合に、前記第１の搬送波上の前記送信電力と前記第２の搬送波上の前記送信電力とを決定するステップ
の少なくとも一方を含む、請求項１又は１３に記載の方法。
【請求項１５】
第１の搬送波上のＵＥの送信電力と第２の搬送波上の前記ＵＥの送信電力とを決定する前記ステップの前に、
前記ＵＥの最大送信電力を構成する態様であって、前記第１の搬送波上の前記ＵＥの前記送信電力と前記第２の搬送波上の前記ＵＥの前記送信電力との和が前記最大送信電力以下である、態様、又は
前記第１の搬送波上の前記ＵＥの最大送信電力と前記第２の搬送波上の前記ＵＥの最大送信電力とを構成し、前記第１の搬送波上の前記ＵＥの第１の最小の保証された電力と前記第２の搬送波上の前記ＵＥの第２の最小の保証された電力とを構成する態様
の一方で、前記ＵＥを構成するステップをさらに含む、請求項１、８又は９に記載の方法。
【請求項１６】
第１の搬送波上のＵＥの送信電力と第２の搬送波上の前記ＵＥの送信電力とを決定する前記ステップの前に、前記方法が、
物理ランダムアクセスチャネル（ＰＲＡＣＨ）を、ダウンリンクにおいてペアになった搬送波を有するアップリンク搬送波上で、又はダウンリンク搬送波と同じ周波数を有するアップリンク搬送波上で送信されるように制限するステップと、
前記第２の搬送波上で構成されたプリアンブル初期ターゲット受信電力すなわちＤＥＬＴＡ＿ＰＲＥＡＭＢＬＥを、システム情報を通じて前記ＵＥに送信する、若しくは、前記第２の搬送波上で構成された前記プリアンブル初期ターゲット受信電力すなわちＤＥＬＴＡ＿ＰＲＥＡＭＢＬＥを、ＲＲＣシグナリングを通じて前記ＵＥに送信するステップ、
第２の搬送波の周波数情報を前記ＵＥに送信することにより前記ＵＥが前記第２の搬送波の周波数情報に従って前記第１の搬送波と前記第２の搬送波との間の経路損失オフセットを決定するようにする、若しくは、前記第１の搬送波と前記第２の搬送波との組合せシリアル番号を前記ＵＥに送信することにより前記ＵＥが前記第１の搬送波と前記第２の搬送波との前記組合せシリアル番号に従って前記第１の搬送波と前記第２の搬送波との間の前記経路損失オフセットを決定するようにするステップ、又は
前記システム情報若しくは前記ＲＲＣシグナリングを通じて、前記ＵＥに、公称電力Ｐ０若しくは前記第２の搬送波の経路損失補償係数αの少なくとも一方を告知するステップ
のうちの一つをさらに含む、請求項１又は１４に記載の方法。
【請求項１７】
基地局によって決定される、第１の搬送波上の送信電力と第２の搬送波上の送信電力とを受信するステップと、
前記第１の搬送波上の前記送信電力に従い、前記第１の搬送波上で第１のアップリンクトラフィックを送信し、前記第２の搬送波上の前記送信電力に従い、前記第２の搬送波上で第２のアップリンクトラフィックを送信するステップと
を含む電力配分方法。
【請求項１８】
第１の搬送波上のユーザ機器（ＵＥ）の送信電力と第２の搬送波上の前記ＵＥの送信電力とを決定するように構成された、決定モジュールと、
前記第１の搬送波上の前記送信電力に従い前記第１の搬送波上で前記ＵＥによって送信されたアップリンクトラフィックを受信し、前記第２の搬送波上の前記送信電力に従い前記第２の搬送波上で前記ＵＥによって送信されたアップリンクトラフィックを受信するように構成された、受信モジュールと
を備える電力配分装置。
【請求項１９】
基地局によって決定される第１の搬送波上の送信電力と第２の搬送波上の送信電力とを受信するように構成された、電力受信モジュールと、
前記第１の搬送波上の前記送信電力に従い、前記第１の搬送波上で第１のアップリンクトラフィックを送信し、前記第２の搬送波上の前記送信電力に従い、前記第２の搬送波上で第２のアップリンクトラフィックを送信するように構成された、送信モジュールと
を備える電力配分装置。
【請求項２０】
記憶されたプログラムを含む記憶媒体であって、前記プログラムは、実行されると、請求項１から１６のいずれか一項に記載の方法を実装する、記憶媒体。
【請求項２１】
プログラムを実行するように構成されたプロセッサであって、前記プログラムは、実行されると、請求項１から１６のいずれか一項に記載の方法を実装する、プロセッサ。
【発明の詳細な説明】
【技術分野】
【０００１】
本出願は、例えば、電力配分方法及び装置など、通信技術の分野に関する。
【背景技術】
【０００２】
過去２０年から３０年の間に、モバイル通信は、音声トラフィックから高速ブロードバンドデータトラフィックへの急速な進歩を経験してきた。モバイルインターネット及びモノのインターネットなど新たなトラフィックのさらなる展開と共に、モバイルネットワークに対する新たな要求がさらに増大するであろう。ある様態では、モバイルネットワークのデータ量は、将来、爆発的に増加することが予想される。別の様態では、大量のデバイス接続と種々のトラフィック及びアプリケーションが将来のワイヤレス通信システムの鍵となる特徴の一つであり、人間中心の通信とマシン中心の通信とが、発展のために共存することになるだろう。将来におけるモバイル通信の種々のトラフィック及びアプリケーションに関する要件に基づき、ワイヤレス通信システムは、スループット、遅延、信頼性、リンク密度、コスト、電力消費、複雑性及びカバレッジの観点における要件を含め、種々の要件を満たさなければならない。第五世代の新しい無線アクセス（ＮＲ）技術の新世代モバイル通信システムが、生まれている。
【０００３】
関連技術においては、第五世代ＮＲノンスタンドアローン配置のシナリオのために、例えば、ＮＲとロングタームエボリューション（ＬＴＥ）とが、デュアルコネクティビティ（ＤＣ）の態様で配置されるのであるが、その場合、ＬＴＥが、マスタ基地局（第四世代モバイル通信技術におけるマスタ基地局（ＭｅＮＢ）又はマスタセルグループ（ＭＣＧ））であり、ＮＲが、セカンダリ基地局（第五世代モバイル通信技術におけるセカンダリ基地局（ＳｇＮＢ）又はセカンダリセルグループ（ＳＣＧ））である。あるいは、ＮＲがマスタ基地局であり、ＬＴＥがセカンダリ基地局である。ユーザ機器（ＵＥ）のアップリンク通信が最大送信電力（Ｐｃｍａｘ）によって制限されるために、ＬＴＥとＮＲとのアップリンク電力をどのように割り当てるのか、という問題が存在する。
【０００４】
第五世代ＮＲスタンドアローン配置のシナリオのためには、ＮＲとＮＲとのＤＣ、ＮＲとＮＲとの衝突回避（ＣＡ）なども、アップリンク電力をどのように割り当てるのか、という問題に直面する。
【発明の概要】
【発明が解決しようとする課題】
【０００５】
本出願の実施形態は、関連する技術では、一つのＵＥが複数の搬送波上に配置されるときには電力を割り当てることが不可能である、という問題を少なくとも解決するために、電力配分方法及び装置を提供する。
【課題を解決するための手段】
【０００６】
本出願のある実施形態によると、電力配分方法が提供され、この方法は、第１の搬送波上のユーザ機器（ＵＥ）の送信電力と、第２の搬送波上のＵＥの送信電力とを決定するステップと、第１の搬送波上の送信電力に従い、第１の搬送波上でＵＥによって送信された第１のアップリンクトラフィックを受信し、第２の搬送波上の送信電力に従い、第２の搬送波上でＵＥによって送信された第２のアップリンクトラフィックを受信するステップとを含む。
【０００７】
本出願の別の実施形態によると、電力配分方法がさらに提供され、この方法は、基地局によって決定される、第１の搬送波上の送信電力と第２の搬送波上の送信電力とを受信するステップと、第１の搬送波上の送信電力に従い、第１の搬送波上で第１のアップリンクトラフィックを送信し、第２の搬送波上の送信電力に従い、第２の搬送波上で第２のアップリンクトラフィックを送信するステップとを含む。
【０００８】
本出願の別の実施形態によると、電力配分装置が提供され、この装置は、第１の搬送波上のユーザ機器（ＵＥ）の送信電力と第２の搬送波上の送信電力とを決定するように構成された決定モジュールと、第１の搬送波上の送信電力に従い第１の搬送波上でＵＥによって送信されたアップリンクトラフィックを受信し、第２の搬送波上の送信電力に従い第２の搬送波上でＵＥによって送信されたアップリンクトラフィックを受信するように構成された受信モジュールとを備える。
【０００９】
本出願の別の実施形態によると、電力配分装置が、さらに提供され、この装置は、電力受信モジュールと、送信モジュールとを備える。
【００１０】
電力受信モジュールは、基地局によって決定される第１の搬送波上の送信電力と第２の搬送波上の送信電力とを受信するように構成される。
【００１１】
送信モジュールは、第１の搬送波上の送信電力に従い、第１の搬送波上で第１のアップリンクトラフィックを送信し、第２の搬送波上の送信電力に従い、第２の搬送波上で第２のアップリンクトラフィックを送信するように構成される。
【００１２】
本出願の別の実施形態によると、さらに、記憶媒体が提供される。この記憶媒体は、上述された実施形態の方法を実行するためのプログラムコードを記憶するように、構成されている。
【００１３】
本出願の別の実施形態によると、さらに、プロセッサが提供される。このプロセッサは、動作されると上述された実施形態の方法を実行するプログラムを動作させるように、構成されている。
【００１４】
ＵＥが複数の搬送波上に配置されているときに電力を割り当てることができない、という問題は解決され、複数の搬送波を用いることによってＵＥがアップリンクトラフィックを送信するという効果が達成される。
【図面の簡単な説明】
【００１５】
【図１】本出願のある実施形態による電力配分方法のフローチャートである。
【図２】本出願のある実施形態による電力配分装置の構造ブロック図である。
【図３】本出願のある実施形態によるＮＲアップリンク及びダウンリンク送信搬送波の周波数の概略図である。
【発明を実施するための形態】
【００１６】
以下では、本出願が、図面を参照しながら、実施形態を通じて、詳細に説明される。矛盾が生じない限り、本明細書で説明される実施形態とその特徴とは、相互に組み合わせることができる。
【００１７】
ある実施形態では、本出願の明細書及び特許請求の範囲における「第１の」や「第２の」などの用語は、類似の対象物の間での区別をするために用いられるのであって、必ずしも、特定の順序又はシーケンスを記述するのに用いられるのではない。
【００１８】
実施形態１
この実施形態は、電力配分方法を提供する。図１は、本発明のある実施形態による電力配分方法のフローチャートである。図１に示されているように、この方法は、以下で説明されるステップを含む。
【００１９】
ステップＳ１０２では、第１の搬送波上でのＵＥの送信電力と第２の搬送波上でのＵＥの送信電力とが、決定される。
【００２０】
Ｓ１０４では、第１の搬送波上での送信電力に従い第１の搬送波上でＵＥによって送信された第１のアップリンクトラフィックが受信され、第２の搬送波上での送信電力に従い第２の搬送波上でＵＥによって送信された第２のアップリンクトラフィックが受信される。
【００２１】
上記のステップを通じ、第１の搬送波上でのＵＥの送信電力と第２の搬送波上での送信電力とが決定され、第１の搬送波の送信電力に従い第１の搬送波上でＵＥによって送信された第１のアップリンクトラフィックが受信され、第２の搬送波の送信電力に従い第２の搬送波上でＵＥによって送信された第２のアップリンクトラフィックが受信される。ＵＥが複数の搬送波上に配置されるときには電力を割り当てることができないという問題は解決され、複数の搬送波を用いることによってＵＥがアップリンクトラフィックを送信するという効果が達成される。
【００２２】
ある実施形態では、上述のステップの実行主体は、アクセスネットワーク基地局などの基地局であり得るが、それには限られない。ＵＥは、ＮＲのＵＥであり得るが、ＮＲ通信方式をサポートする別のＵＥでもよい。
【００２３】
ある実施形態では、その実施形態における第１の搬送波と第２の搬送波とを、異なるシナリオに適用する場合があり、異なるネットワーク環境において異なる役割を果たすことがあり得るのであって、そのようなことは、限定されることはないが、次の役割のような場合である。
【００２４】
第１の搬送波は専用搬送波であり、第２の搬送波は補助的アップリンク周波数（ＳＵＬ）である。専用搬送波とは、ペアになったダウンリンク搬送波（ｐａｉｒｅｄ  ｄｏｗｎｌｉｎｋ  ｃａｒｒｉｅｒ）を有するアップリンク搬送波を指す。周波数分割複信（ＦＤＤ）搬送波の場合には、アップリンク搬送波の周波数とダウンリンクの搬送波の周波数とは異なっているが、類似しており、周波数特性も類似している。時分割複信（ＴＤＤ）搬送波の場合には、アップリンク搬送波の周波数とダウンリンクの搬送波の周波数とは同じであり、すなわち、アップリンク搬送波とダウンリンク搬送波とは同じ搬送波である。
【００２５】
例えば、専用搬送波は、ＮＲの専用搬送波であり、補助的アップリンク周波数（ＳＵＬ）は、その搬送波上に存在するアップリンクトラフィックだけを指す。実際の送信の間には、ＳＵＬと同じ周波数を有する搬送波、又は、ＳＵＬに近接する周波数をダウンリンク送信のために有するダウンリンク搬送波は、存在しない。例えば、ＬＴＥのアップリンクに配分された搬送波は、ＮＲ送信のために用いられ、ＬＴＥのアップリンクに配分された搬送波のペアになったダウンリンク搬送波は、ＮＲ送信のためには用いられない。ＮＲの場合には、ＬＴＥのアップリンクに配分された搬送波は、ＳＵＬである。
【００２６】
第１の搬送波は専用搬送波であり、第２の搬送波は配分された搬送波である。
【００２７】
第１の搬送波は、第１の無線アクセス技術（ＲＡＴ）の搬送波であり、第２の搬送波は、第２のＲＡＴの搬送波である。
【００２８】
第１の搬送波は、第１のトラフィックタイプを搬送する搬送波であり、第２の搬送波は、第２のトラフィックタイプを搬送する搬送波である。ある実施形態では、第１のサービスタイプを搬送する搬送波は、強化されたモバイルブロードバンドトラフィックの搬送波であり、第２のサービスタイプを搬送する搬送波は、超信頼性低遅延通信（ＵＲＬＬＣ）の搬送波である。これら二つの搬送波は、同じ搬送波であって、異なるタイプのトラフィックを送信することがあり得る。また、これら二つの搬送波が、二つの異なる搬送波であって、異なるタイプのトラフィックを送信することもあり得る。あるいは、第１のトラフィックタイプを搬送する搬送波が、第１のパラメータを採用することによってトラフィックを送信し、例えば、副搬送波間の間隔が１５ｋＨｚであり、第２のトラフィックタイプを搬送する搬送波が、第２のパラメータを採用することによってトラフィックを送信し、例えば、副搬送波間の間隔が３０ｋＨｚである。
【００２９】
ある実施形態では、第１の搬送波は、マスタ基地局の搬送波、すなわち、ＤＣシナリオにおけるＭＣＧの搬送波であり、第２の搬送波は、セカンダリ基地局の搬送波、すなわち、ＤＣシナリオにおけるＳＣＧである。
【００３０】
ある実施形態では、第１の搬送波は、セカンダリ基地局の搬送波、すなわち、ＤＣシナリオにおけるＳＣＧであり、第２の搬送波は、マスタ基地局の搬送波、すなわち、ＤＣシナリオにおけるＭＣＧの搬送波である。
【００３１】
ある実施形態では、第１の搬送波上の送信電力に従い第１の搬送波上でＵＥによって送信された第１のアップリンクトラフィックを受信し、第２の搬送波上の送信電力に従い第２の搬送波上でＵＥによって送信された第２のアップリンクトラフィックを受信するステップが、それに限定されることはないが、次のステップであり得る。
【００３２】
第１の時間に第１の搬送波上でＵＥによって送信された第１のアップリンクトラフィックが受信され、第２の時間に第２の搬送波上でＵＥによって送信された第２のアップリンクトラフィックが受信されるが、この場合、第１のアップリンクトラフィックは、第２のアップリンクトラフィックと同じである。
【００３３】
第１の時間に第１の搬送波上でＵＥによって送信された第１のアップリンクトラフィックが受信され、第２の時間に第２の搬送波上でＵＥによって送信された第２のアップリンクトラフィックが受信されるが、この場合、第１のアップリンクトラフィックは、第２のアップリンクトラフィックと異なる。
【００３４】
第１の搬送波と第２の搬送波との上でＵＥによって同時にそれぞれ送信される第１のアップリンクトラフィックと第２のアップリンクトラフィックとが受信され、この場合、第１のアップリンクトラフィックと第２のアップリンクトラフィックとは、同じ又は異なる。
【００３５】
ある実施形態では、アップリンクトラフィックは、ＮＲアップリンクトラフィック又はＬＴＥアップリンクトラフィックとの少なくとも一方を含む。複数の異なるネットワーク環境に従って、アップリンクトラフィックもまた、２Ｇ又は３Ｇアップリンクトラフィックであり得る。
【００３６】
ある実施形態では、第１の搬送波と第２の搬送波との上でＵＥによって同時にそれぞれ送信される第１のアップリンクトラフィックと第２のアップリンクトラフィックとを受信するステップは、以下のステップのうちの一つを含む。
【００３７】
ＮＲの専用搬送波とＬＴＥの配分された搬送波との上でＵＥによって同時にそれぞれ送信されるＮＲアップリンクトラフィックとＬＴＥアップリンクトラフィックとが、受信される。
【００３８】
ＮＲの専用搬送波の上でＵＥによって同時に送信されるＮＲアップリンクトラフィックと、ＬＴＥの配分された搬送波の上で送信されるＬＴＥアップリンクトラフィック及びＮＲアップリンクトラフィックとが、受信される。
【００３９】
ある実施形態では、以下のうちの一つが、含まれる。
【００４０】
一つは、第１のタイプのサブフレーム若しくはスロット又は第２のタイプのサブフレーム若しくはスロットを半静的に構成する場合であり、この場合、第１のタイプのサブフレーム又はスロットは、異なる搬送波のトラフィック若しくは異なるＲＡＴのトラフィックのうちの一方を、ＵＥが、同じサブフレーム又はスロットにおいて同時に送信するのに用いられ、第２のタイプのサブフレーム又はスロットは、単一の搬送波のトラフィック若しくは単一のＲＡＴのトラフィックのうちの一方を、ＵＥが、同じサブフレーム又はスロットにおいて送信するのに用いられる。
【００４１】
もう一つは、第３のタイプのサブフレーム若しくはスロット又は第４のタイプのサブフレーム若しくはスロットを半静的に構成する場合であり、この場合、第３のタイプのサブフレーム又はスロットは、第１の搬送波のトラフィックを、ＵＥが、第３のタイプのサブフレーム又はスロットにおいて送信するのに用いられ、第４のタイプのサブフレーム又はスロットは、第２の搬送波のトラフィックを、ＵＥが、第４のタイプのサブフレーム又はスロットにおいて送信するのに用いられる。
【００４２】
もう一つは、第５のタイプのサブフレーム又はスロットを半静的に構成する場合であり、この場合、第５のタイプのサブフレーム又はスロットは、第１の搬送波のトラフィック又は第２の搬送波のトラフィックを、ＵＥが、固定的に送信するのに用いられる。
【００４３】
ある実施形態では、半静的に構成することは、上位レイヤ無線リソース制御（ＲＲＣ）シグナリングを通じた構成又はシステム情報を通じた構成を含む。
【００４４】
ある実施形態では、第１の搬送波上のＵＥの送信電力と第２の搬送波上のＵＥの送信電力とを決定するステップは、以下のステップを含む。
【００４５】
Ｓ１１では、ＵＥの最大送信電力が決定される。
【００４６】
Ｓ１２では、全体の送信電力が、第１の搬送波と第２の搬送波とに割り当てられるが、その場合に、全体の送信電力の値は、最大送信電力の値以下である。
【００４７】
ある実施形態では、全体の送信電力を、第１の搬送波と第２の搬送波とに割り当てるステップは、以下のステップを含む。
【００４８】
Ｓ２１では、第１の搬送波と第２の搬送波との伝播品質が比較される。
【００４９】
Ｓ２２では、全体の送信電力が、伝播品質に従って、第１の搬送波と第２の搬送波とに割り当てられるが、第１の搬送波に割り当てられた送信電力は、第１の搬送波の伝播品質と負の相関を有し、第２の搬送波に割り当てられた送信電力は、第２の搬送波の伝播品質と負の相関を有する。
【００５０】
ある実施形態では、全体の送信電力を、第１の搬送波と第２の搬送波とに割り当てるステップは、以下のステップを含む。
【００５１】
Ｓ３１では、第１の搬送波上でアップリンクトラフィックを送信するＵＥの優先順位と、第２の搬送波上でアップリンクトラフィックを送信するＵＥの優先順位とが、決定される。
【００５２】
Ｓ３２では、全体の送信電力が、これらの優先順位に従って、第１の搬送波と第２の搬送波とに割り当てられる。
【００５３】
ある実施形態では、第１の搬送波に割り当てられた送信電力は、第１の搬送波上の送信トラフィックの優先順位と正の相関を有し、第２の搬送波に割り当てられた送信電力は、第２の搬送波上の送信トラフィックの優先順位と正の相関を有する。
【００５４】
ある実施形態では、全体の送信電力を、第１の搬送波と第２の搬送波とに割り当てるステップは、以下のステップを含む。
【００５５】
Ｓ４１では、第１の搬送波に対応する第１の最小の保証された電力が、第１の搬送波に割り当てられ、第２の搬送波に対応する第２の最小の保証された電力が、第２の搬送波に割り当てられる。
【００５６】
Ｓ４２では、全体の送信電力の残存電力は、送信トラフィックの優先順位又は搬送波の伝播品質に従って、割り当てられる。
【００５７】
ある実施形態では、第１の搬送波上のＵＥの送信電力と第２の搬送波上のＵＥの送信電力とを決定するステップは、以下のステップのうちの少なくとも一つを含む。
【００５８】
第１の搬送波上の送信電力と第２の搬送波上の送信電力とは、ＵＥが基地局にアクセスするときに、決定される。
【００５９】
第１の搬送波上の送信電力と第２の搬送波上の送信電力とは、ＵＥが接続された状態のときに、決定される。
【００６０】
ある実施形態では、第１の搬送波上のＵＥの送信電力と第２の搬送波上の送信電力とを決定する前に、この方法は、ＵＥのダウンリンク搬送波の経路損失計算に従って、ＵＥのアップリンク送信電力を取得するステップを、さらに含む。
【００６１】
ある実施形態では、第１の搬送波上のＵＥの送信電力と第２の搬送波上の送信電力とを決定する前に、この方法は、以下のステップを、さらに含む。
【００６２】
ＵＥは、以下の様態のうちの一つとして、構成される。
【００６３】
ＵＥの最大送信電力は、第１の搬送波上のＵＥの送信電力と第２の搬送波上のＵＥの送信電力との和が、最大送信電力以下であるように、構成される。
【００６４】
第１の搬送波上のＵＥの最大送信電力と、第２の搬送波上のＵＥの最大送信電力とが、構成される。
【００６５】
第１の搬送波上のＵＥの第１の最小の保証された電力と、第２の搬送波上のＵＥの第２の最小の保証された電力とが、構成される。
【００６６】
ある実施形態では、第１の搬送波上のＵＥの送信電力と第２の搬送波上の送信電力とを決定する前に、この方法は、以下のステップのうちの一つを、さらに含む。
【００６７】
ペアになった搬送波をダウンリンクに有するアップリンク搬送波又はダウンリンク搬送波として同じ周波数を有するアップリンク搬送波の上を送信される物理ランダムアクセスチャネル（ＰＲＡＣＨ）は、限定されている。
【００６８】
第２の搬送波上で構成されたプリアンブル初期ターゲット受信電力（ｐｒｅａｍｂｌｅ  ｉｎｉｔｉａｌ  ｔａｒｇｅｔ  ｒｅｃｅｉｖｅｄ  ｐｏｗｅｒ）すなわちＤＥＬＴＡ＿ＰＲＥＡＭＢＬＥは、システム情報を通じてＵＥに送信される、又は、第２の搬送波上で構成されたプリアンブル初期ターゲット受信電力すなわちＤＥＬＴＡ＿ＰＲＥＡＭＢＬＥは、ＲＲＣシグナリングを通じてＵＥに送信される。
【００６９】
第２の搬送波の周波数情報が、第１の搬送波と第２の搬送波との間の経路損失オフセット（ＰＬ＿ｏｆｆｓｅｔ）をＵＥが第２の搬送波の周波数情報に従って決定するように、ＵＥに送信されるか、又は、第１の搬送波と第２の搬送波との組合せシリアル番号が、第１の搬送波と第２の搬送波との間のＰＬ＿ｏｆｆｓｅｔをＵＥが第１の搬送波と第２の搬送波との組合せシリアル番号に従って決定するように、ＵＥに送信される。
【００７０】
第２の搬送波の公称電力Ｐ０又は経路損失補償計数αのうちの少なくとも一方が、システム情報又はＲＲＣシグナリングを通じて、ＵＥに告知される。上述された実施形態に関する説明から、上述された実施形態における方法は、ソフトウェアに汎用ハードウェアプラットフォームを加えることによって実装され得る、又は、もちろん、ハードウェアによって実装され得る、ということが、当業者には明らかであろう。しかし、多くの場合には、前者が好適な実装モードである。そのような理解に基づくと、本出願の技術的ソリューションは、ソフトウェア製品という形態で、本質的に実施され得る。コンピュータソフトウェア製品は、（リードオンリメモリ（ＲＯＭ）、ランダムアクセスメモリ（ＲＡＭ）、磁気ディスク又は光ディスクなどの）記憶媒体に記憶され、記憶媒体は、端末デバイス（携帯電話、コンピュータ、サーバ、又はネットワークデバイスなどであり得る）が、説明された方法を本出願のそれぞれの実施形態に従って実行することを可能にするための複数の命令を含む。
【００７１】
実施形態２
この実施形態では、電力配分装置も提供されるのであるが、この装置は、上述した実施形態において説明された方法を実装するのに用いられ、既に説明されたことが、繰り返されることはない。以下で用いられる「モジュール」という用語は、事前に定義された機能を実装することができるソフトウェア、ハードウェア又はそれらの組合せであり得る。以下の実施形態において説明される装置は好ましくはソフトウェアによって実装されるが、ハードウェア又はソフトウェアとハードウェアとの組合せによる実装も、可能であり、想定されている。
【００７２】
図２は、本出願のある実施形態による電力配分装置の構造ブロック図である。図２に示されているように、この装置は、決定モジュール２０と、受信モジュール２２とを含む。
【００７３】
決定モジュール２０は、第１の搬送波上のＵＥの送信電力と第２の搬送波上のＵＥの送信電力とを決定するように構成されている。
【００７４】
受信モジュール２２は、第１の搬送波上の送信電力に従いＵＥによって第１の搬送波上で送信されたアップリンクトラフィックを受信し、第２の搬送波上の送信電力に従いＵＥによって第２の搬送波上で送信されたアップリンクトラフィックを受信するように構成されている。
【００７５】
ある実施形態では、上述された様々なモジュールは、ソフトウェア又はハードウェアによって実装され得る。ハードウェアによる実装は、必ずしもそうではないのであるが、以下の、すなわち、上述したモジュールがすべて同じプロセッサに配置されるか、又は、上述した一つ以上のモジュールがそれぞれいずれかの組合せ形式として複数の異なるプロセッサに配置される、という様態で実行され得る。
【００７６】
実施形態３
この実施形態は、ＬＴＥとＮＲとが共存するシナリオにおける電力配分問題のためのものである。例えば、ＮＲは、３．５ＧＨｚのＴＤＤ周波数帯域において展開され、ＮＲアップリンク（ＵＬ）もまた、ＬＴＥのＦＤＤのＵＬの低周波数帯域の配分された搬送波上を送信され得る。そして、ＮＲのＵＥに関しては、いくつかの場合のアップリンク送信が存在し得る。
【００７７】
ａ．ＮＲのＵＥは、ＮＲチャネル又は信号を、ＮＲのＴＤＤ周波数帯域上でのみ送信する。
【００７８】
ｂ．ＮＲのＵＥは、ＮＲチャネル又は信号を、ＬＴＥのＦＤＤのＵＬ配分された搬送波上でのみ送信する。
【００７９】
ｃ．ＮＲのＵＥは、ＮＲチャネル又は信号を、電力の割り当てを示すために、ＮＲのＴＤＤ周波数帯域上とＬＴＥのＦＤＤのＵＬ配分された搬送波上とに、同時に送信する。
【００８０】
ｄ．ＮＲのＵＥは、また、ＬＴＥ送信をサポートする能力を有しており、また、ＬＴＥチャネル又は信号を、ＬＴＥのＦＤＤのＵＬ搬送波上でも送信する。ここでは、ＵＥが、ＮＲのＵＬとＬＴＥのＵＬとの電力をどのようにして割り当てるのかが、この実施形態において解決されるべき問題である。
【００８１】
この実施形態は、ＮＲとＮＲとの間で及びＮＲとＬＴＥとの間で電力を配分するという問題を解決し、それらの有効な送信を保証し、同時に比吸収率（ＳＡＲ）に関する要件を満たすための電力配分方法及び装置を提供する。
【００８２】
異なる実装ステップ又はシナリオに従って、この実施形態は、複数の異なる場合を含む。
【００８３】
例１
ＮＲは、ＬＴＥの周波数帯域を、送信のためのＬＴＥと配分し得る、すなわち、ＮＲに関しては、ＮＲのトラフィックもまた、ＬＴＥの周波数帯域上を送信され得る。ＮＲとＬＴＥとがＬＴＥのＵＬ搬送波を配分するシナリオにおいては、例えば、ＬＴＥのＵＬ搬送波の周波数はＦ１（例えば、約７００ＭＨｚ）であり、ダウンリンク（ＤＬ）搬送波の周波数はＦ２（Ｆ１とペアであるＦＤＤ搬送波であり、やはり７００ＭＨｚ）であり、ＮＲの専用搬送波の周波数はＦ３（例えば、３．５ＧＨｚのＴＤＤ搬送波）である。しかし、ＮＲの専用搬送波の周波数Ｆ３の周波数帯域は、配分された搬送波の周波数Ｆ１の周波数帯域とは大きく異なり、例えば、以下の特徴的な差異が存在する。
【００８４】
経路損失、透過損失、及び陰影フェージングなどを含むワイヤレスチャネルが、大きく異なる。
【００８５】
アンテナの個数、アンテナ利得などを含む送信（ＴＸ）アンテナ構成／受信（ＲＸ）アンテナ構成が、大きく異なる。
【００８６】
ビーム形成技術が、異なる。ＮＲのＵＥのダウンリンク経路損失測定は、ＮＲの専用搬送波の周波数Ｆ３で送信された信号に基づいて実行され、ＵＬの開ループ電力制御は、推定されたダウンリンク経路損失に依存する。アルゴリズムは、アップリンク周波数とダウンリンク周波数とが同じであるか又は著しく異ならず（例えば、両方とも７００ＭＨｚ）、経路損失が著しく異ならない、という仮定に基づく。残りの差異は、閉ループ電力制御によって訂正され得る。従って、ＮＲの専用搬送波の周波数Ｆ３でのＵＬ開ループ電力制御に関しては、何の問題も存在しない。しかし、高周波数帯域と低周波数帯域との間の特徴的な差異のため、Ｆ３での測定結果は、アップリンクの配分された搬送波Ｆ１に直接に適用することができず、ＮＲのＵＥは、配分されたＦ１での経路損失を知ることが不可能であり、よって、正確なＵＬ電力制御は、実行不可能である。従って、配分された搬送波における経路損失の推定とアップリンク電力制御という問題を解決することが必要である。
【００８７】
経路損失の推定とＵＬ電力制御という問題は、送信が高周波数と低周波数とにおいて実行されるときに、ＮＲなど、同じＲＡＴにおいて存在する。例えば、図３に示されているように、図３は、本出願のある実施形態によるＮＲアップリンク及びダウンリンク送信搬送波の周波数の概略図である。ＮＲの高周波数帯域は、ＮＲの専用搬送波の周波数であり、ＮＲの低周波数帯域は、ＮＲ又は別のＮＲ搬送波低周波数によって用いられるＬＴＥの配分された搬送波の周波数である。異なるシナリオにおける問題は類似しており、低周波数帯域における経路損失の推定とアップリンク電力制御という問題が、解決されるべきである。
【００８８】
特定のソリューションは、以下の通りである。第１の場合は、最初のアクセスの物理ランダムアクセスチャネル（ＰＲＡＣＨ）の送信について、すなわち、低周波数帯域において（例えば、ＬＴＥの配分された搬送波の周波数Ｆ１における）プリアンブルのＵＬ送信電力をいかにして決定するかについて、である。
【００８９】
方法１では、最初のアクセスは、ペアになったダウンリンク搬送波を有するアップリンク搬送波上だけでの、又は、ダウンリンク搬送波と同じ周波数を有するアップリンク搬送波上だけでの実行に限定される。アップリンク搬送波におけるプリアンブルの送信電力は、ダウンリンク搬送波における推定された経路損失に基づく。すなわち、アップリンク搬送波とダウンリンク搬送波とにおける経路損失は、近接している又は同じであると考えられ得る。
【００９０】
ペアになったダウンリンク搬送波を有するアップリンク搬送波は、アップリンク搬送波とダウンリンク搬送波とが小さな周波数間隔を有すること、周波数特性の差が大きくないこと、そして、アップリンク搬送波とダウンリンク搬送波との両方がＮＲ送信に用いられ得ることを参照する。アップリンク搬送波のための経路損失又はＵＬ電力制御は、ダウンリンク搬送波に基づいて、得ることができる。例えば、アップリンク搬送波とダウンリンク搬送波との両方が、７００ＭＨｚ又は１７００ＭＨｚである。
【００９１】
例えば、ＬＴＥの７００ＭＨｚのＵＬ搬送波とＤＬ搬送波との両方が、ＮＲと配分される。次に、プリアンブルがＮＲにおける７００ＭＨｚのＵＬ搬送波上で送信されると、経路損失は、ＤＬ搬送波に基づいて、計算され得る。
【００９２】
もう一つの例として、ＬＴＥの７００ＭＨｚのＵＬ搬送波だけが、ＮＲと配分される（ＬＴＥの７００ＭＨｚのＤＬ搬送波は、ＤＬ搬送波の重い負荷のために、ＮＲと配分されない）。この場合に、プリアンブルは、ＮＲの専用搬送波（３．５ＧＨｚ）上だけを、送信され得る。プリアンブル送信のためのＵＬ電力は、ＮＲの専用搬送波上の推定されたダウンリンク経路損失に基づく。
【００９３】
方法２では、高周波数帯域と低周波数帯域との間のＰＬ＿ｏｆｆｓｅｔが、高周波数帯域と低周波数帯域との間の周波数の差異、アンテナ構成及びその他のパラメータに従って、推定される。低周波数帯域のプリアンブル初期受信ターゲット電力すなわちＤＥＬＴＡ＿ＰＲＥＡＭＢＬＥは、システム情報を通じて、ＵＥに送信される。低周波数帯域のプリアンブル初期受信ターゲット電力は、高周波数帯域のプリアンブル初期受信ターゲット電力からＰＬ＿ｏｆｆｓｅｔを減算した値である。低周波数帯域のＤＥＬＴＡ＿ＰＲＥＡＭＢＬＥは、高周波数帯域のプリアンブル初期受信ターゲット電力からＰＬ＿ｏｆｆｓｅｔを減算した値である。
【００９４】
プリアンブル初期受信ターゲット電力は、基地局が受信することを予想するプリアンブルの最初の電力であり、ＤＥＬＴＡ＿ＰＲＥＡＭＢＬＥは、プリアンブルのフォーマットと関係する。
【００９５】
例えば、高周波数帯域の経路損失は、１１０ｄＢであり、低周波数帯域の経路損失は、１００ｄＢである。ＰＬ＿ｏｆｆｓｅｔは、１０ｄＢである。従って、低周波数帯域のプリアンブル初期受信ターゲット電力は、高周波数帯域のプリアンブル初期受信ターゲット電力から１０ｄＢを減算した値に等しい。ＤＥＬＴＡ＿ＰＲＥＡＭＢＬＥは、それに類似である。
【００９６】
ＵＥは、プリアンブルを最初に送信するためのアップリンク電力を、高周波数帯域に関する計算を通じて得られたダウンリンク経路損失と、低周波数帯域のプリアンブル初期受信ターゲット電力と、ＤＥＬＴＡ＿ＰＲＥＡＭＢＬＥとに従って、決定することができ、送信がその後で失敗する場合には、電力のランプアップが実行され得る。
【００９７】
方法３では、高周波数帯域と低周波数帯域との間のＰＬ＿ｏｆｆｓｅｔが、高周波数帯域と低周波数帯域との間の周波数の差異と、アンテナ構成と、その他のパラメータとに従って、推定される。低周波数帯域の周波数情報（配分された搬送波の周波数情報）又は低周波数帯域と高周波数帯域（配分された搬送波の周波数帯域と専用の搬送波の周波数帯域）との組合せシリアル番号が、システム情報を通じて、ＵＥに送信される。ＵＥは、高周波数帯域と低周波数帯域との間のＰＬ＿ｏｆｆｓｅｔを、低周波数帯域の周波数情報（配分された搬送波の周波数情報）又は低周波数帯域と高周波数帯域（配分された搬送波の周波数帯域と専用の搬送波の周波数帯域）との組合せシリアル番号に従って、決定する。
【００９８】
ＵＥは、高周波数帯域に関する計算とＰＬ＿ｏｆｆｓｅｔとを通じて得られたダウンリンク経路損失に従って、低周波数帯域のダウンリンク経路損失を取得し、プリアンブルを低周波数帯域上で送信するためのアップリンク電力を計算する。
【００９９】
例えば、表１に示されているように、ＮＲの専用搬送波の周波数は、３．３ＧＨｚから４．２ＧＨｚ（ＤＬ及びＵＬ）であり、ＬＴＥの配分されたＵＬ搬送波の使用可能な周波数のためには、４つの場合が存在する。ＰＬ＿ｏｆｆｓｅｔは、専用の搬送波と配分された搬送波との間の周波数の差異などのパラメータから、前もって推定される。配分された搬送波の周波数帯域と専用の搬送波の周波数帯域との組合せシリアル番号が、システム情報ブロック２（ＳＩＢ２）を通じて、ＵＥに告知され、ＵＥは、そのシリアル番号に従って、高周波数帯域と低周波数帯域との間のＰＬ＿ｏｆｆｓｅｔを知ることができ、低周波数帯域の正確なダウンリンク経路損失を取得する。
【０１００】
【表１】
2020529752.tif 000003
【０１０１】
第２の場合は、接続された状態のアップリンク送信について、低周波数帯域における（例えば、ＬＴＥの配分された搬送波の周波数Ｆ１における）トラフィック送信のための経路損失又はＵＬ送信電力をどのように決定するか、についてである。
【０１０２】
方法１においては、方法１は、最初のアクセスの方法３と同じである。
【０１０３】
方法２においては、高周波数帯域に対する低周波数帯域のＰＬ＿ｏｆｆｓｅｔが、公称電力Ｐ０、フラクショナル電力制御（ＦＰＣ）経路損失補償係数α、又は閉ループｆのうちの少なくとも一つを調整することによって、訂正される。
【０１０４】
高周波数経路損失と低周波数経路損失との間の差の調整をサポートするため、公称電力Ｐ０、補償係数α、若しくは閉ループｆのうちの少なくとも一つの可能な値又は値の範囲が、拡張される。例えば、αは、８つの可能な値に限定されない。例えば、１６個の可能な値をサポートするのに、４ビットが用いられ、高周波数帯域に対する低周波数帯域のＰＬ＿ｏｆｆｓｅｔは、よりよく訂正される。
【０１０５】
ある実施形態では、第１の搬送波と第２の搬送波との間の経路損失差の調整をサポートするために、公称電力Ｐ０の値の範囲又はプリアンブル初期ターゲット受信電力の値の範囲が、拡張される。
【０１０６】
例えば、シミュレーション結果を参照すると、ビーム形成を用いた３．５ＧＨｚとビーム形成を用いた２ＧＨｚとの経路損失差は、約５ｄＢである。
【０１０７】
ビーム形成を用いた３．５ＧＨｚと７００ＭＨｚとの経路損失差は、約１０ｄＢである。
【０１０８】
高周波数帯域（３．５ＧＨｚ）の経路損失は１１０ｄＢであると推測される。
【０１０９】
ＦＰＣ経路損失補償係数αの値の集合は、｛０，  ０．４，  ０．５，  ０．６，  ０．７，  ０．８，  ０．９，  １｝である。
【０１１０】
高周波数帯域の補償係数αが１となるように構成され、低周波数帯域の補償係数αが０．９になるように構成されている場合には、補償は、１１ｄＢに到達することができる。ＵＥ送信側では、高周波数帯域のためのアップリンク送信電力の経路損失補償は、実際には、α＊ＰＬ＝１＊１１０ｄＢ＝１１０ｄＢである。低周波数帯域のためのアップリンク送信電力の経路損失補償は、実際には、α＊ＰＬ＝０．９＊１１０ｄＢ＝９９ｄＢである。ＰＬは、計算された高周波数ダウンリンクの経路損失である。この値は、実際の７００ＭＨｚの経路損失に近接しており、残りの差異は、閉ループ電力制御を通じて、訂正され得る。
【０１１１】
補償係数αがより多くの値を取ることが可能なときには、補償の精度は、より正確である。例えば、αは、０．９５、０．８５、０．７５、０．６５などと等しくなり得る。
【０１１２】
公称電力Ｐ０は、さらに、セル公称電力とＵＥに特有の公称電力という二つの部分に分割される。無線基地局Ｂ（ｅＮｏｄｅＢ）は、セルにおけるすべてのＵＥに対して、物理アップリンク配分チャネル公称電力（Ｐ０＿ＰＵＳＣＨ）と、物理アップリンク制御チャネル公称電力（Ｐ０＿ＰＵＣＣＨ）とを半静的に設定し、それらの値が、ＳＩＢ２システムメッセージを通じてブロードキャストされるが、その場合に、Ｐ０＿ＰＵＳＣＨの値の範囲は、−１２６デシベルミリワット（ｄＢｍ）から＋２４ｄＢｍである（すべて、それぞれのリソースブロック（ＲＢ）の観点から）。Ｐ０＿ＰＵＣＣＨの値の範囲は、−１２６ｄＢｍから−９６ｄＢｍである。
【０１１３】
さらに、それぞれのＵＥは、また、ＵＥに特有の公称電力オフセットを有し得るのであって、これが、専用のＲＲＣシグナリングを通じて、ＵＥに送信される。Ｐ０＿ＵＥ＿ＰＵＳＣＨは、システム公称電力Ｐ０＿ＰＵＳＣＨに対する異なるＵＥのオフセットであり、Ｐ０＿ＵＥ＿ＰＵＣＣＨは、システム公称電力Ｐ０＿ＰＵＣＣＨに対する異なるＵＥのオフセットである。単位はｄＢであり、値は、−８と＋７との間にある。
【０１１４】
Ｐ０の範囲は実際には３．５ＧＨｚと７００／８００／９００／１．７ＧＨｚとの間の経路損失差をカバーするのに充分なほど大きいということを、上述のパラメータから理解することが可能である。調整は、当初のフェーズにおいて及び後の閉ループｆを通じて、Ｐ０又はαのうちの少なくとも一方を通じて、達成され得る。高周波数経路損失と低周波数経路損失との差の調整をサポートするために、公称電力Ｐ０の可能な値又は値の範囲が、拡張される。例えば、ＵＥに特有な場合の公称電力オフセットは拡張され、その値は、−１６と＋１５との間である。
【０１１５】
あるいは、公称電力Ｐ０は、さらに、セル公称電力とＵＥ特有公称電力とに加えて、高周波数と低周波数とに関係するＰＬ＿ｏｆｆｓｅｔ調整電力を含む。すなわち、公称電力Ｐ０は、これらの三つの部分の和である。
【０１１６】
低周波数帯域におけるＵＥのＰ０又は係数αの少なくとも一つが、低周波数帯域周波数情報（配分された搬送波の周波数情報）又は低周波数帯域と高周波数帯域との組合せ情報（配分された搬送波の周波数帯域と専用搬送波の周波数帯域）に従って、決定され、二つのパラメータＰ０と係数αとが、システム情報又はＲＲＣシグナリングを通じて、ＵＥに告知される。低周波数帯域と高周波数帯域との間のＰＬ＿ｏｆｆｓｅｔは、高周波数帯域における係数αに対する低周波数帯域における係数に対して考えられ、この係数は、ｐ０又は係数αのうちの少なくとも一方を含む。
【０１１７】
例えば、高周波数と低周波数との経路損失の差は１０ｄＢであり、ある基地局によってあるＵＥのために構成された高周波数帯域におけるＰ０は−１００ｄＢｍであり、その基地局によってそのＵＥのために構成された低周波数帯域におけるＰ０は−１１０ｄＢｍである。別の例としては、その基地局によってそのＵＥのために構成された高周波数帯域におけるαは１であり、その基地局によってそのＵＥのために構成された低周波数帯域におけるαは０．９である。
【０１１８】
あるいは、基地局は、高周波数帯域に対する低周波数帯域のＰＬ＿ｏｆｆｓｅｔを、閉ループｆを通じて訂正する。例えば、その基地局によってそのＵＥのために構成された高周波数帯域におけるｆ（絶対値又は累積値）は１０ｄＢであり、その基地局によってそのＵＥのために構成された低周波数帯域におけるｆ（絶対値又は累積値）は０ｄＢである。
【０１１９】
方法３では、アップリンク低搬送波がＮＲのＵＬ送信のために用いられ、アップリンク低搬送波又はアップリンク低搬送波とペアであるダウンリンク搬送波と同じ周波数を有するＤＬ搬送波がＮＲダウンリンクトラフィック送信のために用いられない場合には、アップリンク低搬送波又はアップリンク低搬送波とペアであるダウンリンク搬送波と同じ周波数を有するＤＬ搬送波は、低周波数帯域においてＮＲのダウンリンク経路損失推定のために用いられることに限定される。
【０１２０】
例えば、ＬＴＥのＵＬのＦ１搬送波は、ＮＲのＵＬ送信のために用いられ得るのであって、ＬＴＥのＵＬのＦ１搬送波とペアである（Ｆ１と同じ周波数帯域における）ＤＬのＦ２搬送波は、ＮＲとは配分されない。しかし、Ｆ１の経路損失計算とタイミングとをサポートするために、Ｆ２は、特定のＮＲダウンリンク信号の送信に用いられることに制限されるが、ＮＲデータ（例えば、物理アップリンク配分チャネル（ＰＵＳＣＨ））の送信には用いられない。Ｆ２上を送信される特定のＮＲダウンリンク信号は、Ｆ２上のＬＴＥ信号／チャネルの送信に影響すべきではなく、特定のＮＲダウンリンク信号は、ＬＴＥ信号／チャネルとの周波数分割多重化（ＦＤＭ）又は時分割多重化（ＴＤＭ）という粗な態様で送信される。
【０１２１】
例２
以下は、送信が同時には実行されないシナリオである。
【０１２２】
シナリオ１では、ＮＲは、ＬＴＥのＵＬ搬送波を配分する。ＮＲのＵＥは、ＮＲのＵＬを、ＮＲの専用搬送波とＬＴＥの配分された搬送波との上で送信する。ある与えられた瞬間において、ＮＲのＵＥは、ＮＲのＵＬを上述の搬送波のいずれかの上で送信するのみであって、ＮＲのＵＬを上述の両方の搬送波上で同時に送信することはない。
【０１２３】
シナリオ２では、ＮＲは、ＬＴＥのＵＬ搬送波を配分する。ＮＲのＵＥは、ＮＲ及びＬＴＥの能力をサポートしており、ＮＲの専用搬送波上でＮＲのＵＬを送信することができ、ＮＲのＵＬ又はＬＴＥのＵＬをＬＴＥの配分された搬送波の上で送信することができる。ある与えられた瞬間において、ＮＲのＵＥは、上述の搬送波のいずれかの上で一つのタイプのトラフィックを送信するだけであり、一つのタイプのトラフィックを上述の両方の搬送波上で、同時に、送信することはない。
【０１２４】
シナリオ３では、ＬＴＥとＮＲとは、ＤＣシナリオにある。ＬＴＥは、第四世代モバイル通信技術のマスタ基地局（ＭｅＮＢ）／第五世代モバイル通信技術のマスタ基地局（ＭｇＮＢ）／第四世代モバイル通信技術のマスタ基地局又は第五世代モバイル通信技術のマスタセルグループ（ＭＣＧ）であり、ＮＲは、第四世代モバイル通信技術のセカンダリ基地局（ＳｅＮＢ）／第五世代モバイル通信技術のセカンダリ基地局（ＳｇＮＢ）／第四世代モバイル通信技術のセカンダリ基地局又は第五世代モバイル通信技術のセカンダリセルグループ（ＳＣＧ）である。あるいは、マスタ基地局とセカンダリ基地局とは、対向する態様で、構成されている。ある与えられた瞬間において、ＵＥは、例えば、ＬＴＥのＵＬ信号をＭＣＧに送信するだけ、又は、ＮＲのＵＬ信号をＳＣＧに送信するだけなど、一つのタイプのトラフィックを送信するだけである。
【０１２５】
以下は、送信が同時に実行されるシナリオである。
【０１２６】
シナリオ４では、ＮＲが、ＬＴＥのＵＬ搬送波を配分する。ＮＲのＵＥは、ＮＲの専用搬送波とＬＴＥの配分された搬送波との上で、ＮＲのＵＬを送信する。ある与えられた瞬間に、ＮＲのＵＥが、上述の両方の搬送波の上で、同時に、ＮＲのＵＬを送信し得る。
【０１２７】
シナリオ５では、ＮＲが、ＬＴＥのＵＬ搬送波を配分する。ＮＲのＵＥは、ＮＲのＬＴＥ能力をサポートしており、ＮＲの専用搬送波上でＮＲのＵＬを送信することができ、ＮＲのＵＬ又はＬＴＥのＵＬをＬＴＥの配分された搬送波の上で送信することができる。ある与えられた瞬間において、ＮＲのＵＥは、上述の両方の搬送波の上で、同時に、複数のタイプのＲＡＴトラフィックを送信することができる。
【０１２８】
サブシナリオ５．１では、ＮＲの専用の搬送波の上のＮＲのＵＬの送信と、ＬＴＥの配分された搬送波の上のＬＴＥのＵＬの送信とが、同時に、実行される。
【０１２９】
サブシナリオ５．２では、ＮＲの専用の搬送波の上のＮＲのＵＬの送信と、ＬＴＥの配分された搬送波の上のＬＴＥのＵＬとＮＲのＵＬとの送信とが、同時に、実行される。
【０１３０】
サブシナリオ５．３では、ＬＴＥの配分された搬送波の上のＬＴＥのＵＬとＮＲのＵＬとの送信が、同時に、実行される。
【０１３１】
シナリオ６では、ＬＴＥとＮＲとが、ＤＣシナリオにある。ＬＴＥは、ＭｅＮＢ／ＭｇＮＢ／ＭＣＧであり、ＮＲは、ＳｅＮＢ／ＳｇＮＢ／ＳＣＧである。あるいは、マスタ基地局とセカンダリ基地局とが、対向する態様で構成される。ある与えられた瞬間において、ＵＥは、ＬＴＥのＵＬをＭＣＧ（ＬＴＥのｅＮＢ）に、ＮＲのＵＬをＳＣＧ（ＮＲのｇＮＢ）に、同時に、送信し得る。
【０１３２】
上述のシナリオ、又は、ＮＲに独立な若しくは非独立な展開のシナリオにおけるアップリンク電力制御問題に関しては、ソリューションは以下の通りである。
【０１３３】
方法１では、第１のタイプのサブフレーム／スロットと第２のタイプのサブフレーム／スロットが、半静的に構成されており、この場合、第１のタイプのサブフレーム／スロットは、異なる搬送波のトラフィックを、同じサブフレーム／スロットにおいて同時に送信するのに用いられるか、又は、異なるＲＡＴのトラフィックを同じサブフレーム／スロットにおいて同時に送信するのに用いられ、第２のタイプのサブフレーム／スロットは、単一の搬送波のトラフィックを、同じサブフレーム／スロットにおいて送信するのに用いられるか、又は、単一のＲＡＴのトラフィックを同じサブフレーム／スロットにおいて送信するのに用いられる。
【０１３４】
例えば、ＮＲがＬＴＥのＵＬ搬送波を配分するシナリオでは、第１のタイプのサブフレーム／スロットにおいて、ＵＥが、ＮＲのＵＬを、ＮＲの専用の搬送波と配分された搬送波との上で同時に送信し得る。
【０１３５】
別の例では、ＮＲとＬＴＥとがＤＣシナリオにあり、第１のタイプのサブフレーム／スロットにおいて、ＵＥは、ＬＴＥのＵＬとＮＲのＵＬとを、ＭＣＧとＳＣＧとの上に、同時に送信するだけである。
【０１３６】
例えば、ＮＲがＬＴＥのＵＬ搬送波を配分するシナリオでは、第２のタイプのサブフレーム／スロットにおいて、ＵＥは、ＮＲのＵＬを、ＮＲの専用の搬送波と配分された搬送波とのどちらかの上で送信するだけであり、ＮＲのＵＬを、ＮＲの専用の搬送波と配分された搬送波との上で同時に送信することはない。
【０１３７】
別の例では、ＮＲとＬＴＥとがＤＣシナリオにあり、第２のタイプのサブフレーム／スロットにおいて、ＵＥは、ＬＴＥのＵＬ又はＮＲのＵＬを、ＭＣＧとＳＣＧとのいずれかの上に送信するだけであり、同時的な送信は、実行されない。
【０１３８】
半静的な構成は、上位のレイヤが、ＲＲＣシグナリング又はシステム情報を通じて二つのタイプのサブフレーム／スロットを構成し、どちらのサブフレーム／スロットが第１のタイプのサブフレーム／スロットに属し、どちらのタイプのサブフレーム／スロットが第２のタイプのサブフレーム／スロットに属するのかをＵＥに告知する、ということを含み得る。
【０１３９】
第１のタイプのサブフレーム／スロットについては、電力の比吸収率（ＳＡＰ）の要件のために、異なる搬送波のトラフィック又は異なるＲＡＴのトラフィックを同じサブフレーム／スロットにおいて同時に送信する送信電力は、ＵＥの最大送信電力（Ｐｃｍａｘ）を超えることができない。従って、同じＵＥの異なる搬送波又は異なるＲＡＴの間の電力は、適切に割り当てられる必要がある。
【０１４０】
第２のタイプのサブフレーム／スロットでは、一つの搬送波のトラフィック又は一つのＲＡＴのトラフィックだけが、同じサブフレーム／スロットにおいて、送信されることが可能である。従って、どの搬送波上であっても、通常のＵＬ電力制御アルゴリズムが、実行される。それぞれの搬送波は、搬送波最大送信電力（Ｐｃｍａｘ，ｃ）に対応する。この搬送波の（Ｐｃｍａｘ，ｃ）は、例えば２３ｄＢｍなど、ＵＥのＰｃｍａｘと同じであり得る。二つの周波数レイヤの最大送信電力の間に、制約条件は存在しない。すなわち、二つの搬送波のために、独立の電力制御が実行されることが可能である。
【０１４１】
従って、複数の異なる電力制御パラメータが、二つのタイプのサブフレーム／スロットのために、構成され得る。例えば、第２のタイプのサブフレーム／スロットには、一つのタイプのトラフィックだけが同時に存在するので、通常のアップリンク電力制御アルゴリズムが、用いられる。第１のタイプのサブフレーム／スロットには、二つのタイプのトラフィックが同時に存在するので、二つのタイプのトラフィックのための電力が割り当てられることが必要であり、例えば、それぞれの最小電力若しくは最高電力又は優先順位は、限定される。しかし、そのような制約条件は、第２のタイプのサブフレーム／スロットには存在しない。
【０１４２】
ある実施形態では、基地局が、ＵＥに、二つのタイプのサブフレーム／スロットに対応する２組の電力制御パラメータを告知する。この告知は、ＲＲＣシグナリング、システム情報又はダウンリンク制御情報（ＤＣＩ）シグナリングを通じて、実行され得る。
【０１４３】
ある実施形態では、ＵＥは、アップリンクスケジューリングを通じた非明示的若しくは明示的告知から、又は、グループ共通ＤＣＩ／物理ダウンリンク制御チャネル（ＰＤＣＣＨ）などのＤＣＩシグナリングを通じたサブフレーム／スロットのタイプの告知から、いずれかのサブフレーム／スロットのタイプを決定することができる。
【０１４４】
方法２では、第３のタイプのサブフレーム／スロットと第４のタイプのサブフレーム／スロットとが、半静的に構成され、第１の搬送波（ＮＲの専用搬送波など）のトラフィック又は第１のＲＡＴ（ＮＲなど）のトラフィックだけが、第３のタイプのサブフレーム／スロットにおいて送信され、第２の搬送波（配分された搬送波など）のトラフィック又は第２のＲＡＴ（ＬＴＥなど）のトラフィックだけが、第４のタイプのサブフレーム／スロットにおいて送信される。
【０１４５】
半静的な構成は、上位のレイヤが、ＲＲＣシグナリング又はシステム情報を通じて二つのタイプのサブフレーム／スロットを構成し、どちらのサブフレーム／スロットが第３のタイプのサブフレーム／スロットに属し、どちらのタイプのサブフレーム／スロットが第４のタイプのサブフレーム／スロットに属するのかをＵＥに告知する、ということを含み得る。
【０１４６】
方法３では、基地局が、搬送波又はＲＡＴタイプのトラフィックを送信するために固定され用いられる第５のタイプのサブフレーム／スロットを、半静的に構成する。
【０１４７】
半静的な構成は、上位のレイヤが、どのサブフレーム／スロットが第５のタイプのサブフレーム／スロットに属するのかを、ＲＲＣシグナリング又はシステム情報を通じて構成し、その構成を、ＵＥに告知する、ということを含み得る。
【０１４８】
例３
このシナリオでは、ＮＲが、ＬＴＥのＵＬ搬送波を配分する。ＮＲのＵＥが、ＮＲの専用搬送波とＬＴＥの配分された搬送波との上で、ＮＲのＵＬを送信する。
【０１４９】
ソリューションは、以下の通りである。
【０１５０】
ＵＥの送信電力が、二つのＵＬ搬送波の周波数の間で配分され得る。それぞれのＵＥのそれぞれの搬送波が、搬送波の周波数特性（Ｐｃｍａｘ，ｃ）を用いて構成され得るが、ここで、ｃは、配分される搬送波又はＮＲの専用搬送波を示す。
【０１５１】
考察１：配分されるＵＬ搬送波の周波数Ｆ１は、チャネル伝播特性の点で、ＮＲの専用搬送波の周波数Ｆ３よりも優れている。従って、全体の送信電力がＵＥの最大送信電力に到達する場合には、より多くの電力が、ＮＲの専用搬送波の周波数Ｆ３に割り当てられ得る。
【０１５２】
考察２：配分されるＦ１が、ＰＵＣＣＨなどの必要な信号を送信するのに用いられ、エッジＵＥが信号を送信するのに用いられると考えると、より多くの送信電力が、配分されるＦ１に割り当てられ得る。
【０１５３】
ソリューション１：二つの（Ｐｃｍａｘ，ｃ）の和が、２３ｄＢｍなど、Ｐｃｍａｘに等しいことが必要である。
【０１５４】
二つの最大電力を半静的に割り当てることは、半分に分割すること、優先順位に従って分割することを含み、ここで、最高の優先順位を有する最大送信電力の方が、４０％と６０％など、大きい方になる。例えば、ＭＣＧが高い優先順位を有する場合、ＭＣＧの（Ｐｃｍａｘ，ｃ）は、６０％である。
【０１５５】
ソリューション２：二つの（Ｐｃｍａｘ，ｃ）の和が、２３ｄＢｍなど、Ｐｃｍａｘより大きいことがある。（ここでは、二つの（Ｐｃｍａｘ，ｃ）が構成されていない場合があり得る）異なる又は同じ倍率が、構成される。全体の電力がＵＥの最大電力を超えるときには、電力のスケーリングが実行される。
【０１５６】
それぞれの搬送波は、優先順位に従って、異なる倍率を用いて構成され、例えば、２００ｍＷの最大送信電力（２３ｄＢｍ）に到達し、配分された搬送波の倍率は０．４であり、ＮＲの専用搬送波の倍率は０．６である。
【０１５７】
ソリューション３：電力の割り当ては、最初に、高い優先順位又はよい方のチャネル条件を有する搬送波上の送信を満足させた。残存電力が存在する場合には、他の搬送波上の送信が実行される。あるいは、電力の割り当ては、最初に、高い優先順位又は悪い方のチャネル条件を有する搬送波上の送信を満足させた。残存電力が存在する場合には、他の搬送波上の送信が実行される。
【０１５８】
例えば、配分された搬送波はより高い優先順位を有し、２３ｄＢｍが、最初に配分された搬送波を満たし、何らかの残存電力が存在する場合には、その残存電力は、専用搬送波のために用いられる。
【０１５９】
あるいは、配分された搬送波のチャネル条件の方がよい場合には、そのときには、ＵＥは、専用搬送波の劣った高周波数カバレッジを有する領域にある。電力が専用搬送波のために用いられ、その電力は大きいことが要求され、パフォーマンスが依然として劣っている場合には、電力は、配分された搬送波のために用いられる方がよい。
【０１６０】
あるいは、配分された搬送波のチャネル条件の方が優れていると、専用搬送波のチャネル条件が、相対的に劣っている。例えば、３．５ＧＨｚというカバレッジ範囲では、より多くの電力が専用搬送波に割り当てられると、両方の搬送波上でのＵＬのパフォーマンスが保証されることが可能になる。
【０１６１】
例４
ＬＴＥとＮＲとは、ＤＣシナリオにある。ＬＴＥはＭｅＮＢ／ＭｇＮＢ／ＭＣＧであり、ＮＲはＳｅＮＢ／ＳｇＮＢ／ＳＣＧである。又は、マスタ基地局とセカンダリ基地局とは、対向する態様に構成されている。
【０１６２】
方法１では、ＵＥの最大アップリンク電力がＵＥの最大送信電力（Ｐｃｍａｘ）を超えられないということだけが構成される。すなわち、ＵＥのＵＬのＬＴＥ及びＮＲの全体の送信電力は、Ｐｃｍａｘを超えられない。ＵＥは、二つの電力ヘッドルーム（ＰＨＲ）を、二つのｇＮＢ又はセルグループ（ＣＧ）に報告する。
【０１６３】
方法２では、ＵＥのＬＴＥのＵＬがＬＴＥの最大送信電力（Ｐｃｍａｘ＿ｌｔｅ）を超えられず、ＵＥのＮＲのＵＬがＮＲの最大送信電力（Ｐｃｍａｘ＿ｎｒ）を超えられないということが構成される。Ｐｃｍａｘ＿ｌｔｅとＰｃｍａｘ＿ｎｒとの和は、ＵＥの最大送信電力Ｐｃｍａｘよりも小さいことが必要である。ＵＥは、二つのＰＨＲを、二つのｇＮＢ又はＣＧに報告する。
【０１６４】
方法３では、ＬＴＥのＭＣＧとＮＲのＳＣＧとのそれぞれのＣＧに対応する最小の保証された電力が、構成される。残存電力は、送信信号／チャネルの優先順位又はＣＧの間のタイミングに従って、割り当てられる。
【０１６５】
例５
異なるヌメロロジー（ｎｕｍｅｒｏｌｏｇｙ）（例えば、１５ｋＨｚの副搬送波間隔がある場合に用いられ、６０ｋＨｚの副搬送波間隔が別の場合には用いられること）の多重化又は異なるトラフィックタイプの多重化のために、ＵＥの最大送信電力を超えないという要件を満たすことが考慮される。
【０１６６】
例えば、強化されたモバイルブロードバンド（ｅＭＢＢ）（例えば、１５ｋＨｚの副搬送波間隔を用いる）と超信頼性低遅延通信（ＵＲＬＬＣ）（例えば、６０ｋＨｚの副搬送波間隔を用いる）との多重化のためには、ある場合には、ＵＲＬＬＣが送信されると、ｅＭＢＢは送信されず、ＵＲＬＬＣは、通常のＵＬ電力制御に一致する。他方の場合には、ＵＲＬＬＣとｅＭＢＢとが、周波数分割多重化（ＦＤＭ）モードを採用する。ｅＭＢＢの電力とＵＲＬＬＣの電力との和は、ＵＥの最大送信電力を超える可能性が高く、ＳＡＰの要件が満たされない。
【０１６７】
方法１では、基地局が、ｅＭＢＢとＵＲＬＬＣとのそれぞれのための最大送信電力を構成し、この最大送信電力の和は、ＵＥの最大送信電力を超えない。
【０１６８】
方法２では、基地局が、ｅＭＢＢとＵＲＬＬＣとのそれぞれのための最小の保証された送信電力を構成し、この最小の保証された送信電力の和は、ＵＥの最大送信電力を超えない。残存電力は、ＵＲＬＬＣのために用いられるのが好ましいか、又は、残存電力が、優先順位の高い送信信号タイプ（制御チャネルなど）のために用いられるのが好ましいか、若しくは、送信タイミングがより早いトラフィックタイプのために用いられるのが好ましいか、である。
【０１６９】
方法３では、ＵＥが、ＵＲＬＬＣを送信するために、電力を用いるのが好ましい。残存電力が存在する場合には、残存電力は、ｅＭＢＢを送信するために、用いられる。残存電力が存在しない場合には、ｅＭＢＢは送信されない。
【０１７０】
方法４では、ＵＥは、ＵＲＬＬＣの送信のための電力状況又は電力ヘッドルーム（ＰＨ）を、基地局に報告する。
【０１７１】
例６
ＬＴＥとＮＲとが、ＤＣシナリオにある。ＬＴＥはＭｅＮＢ／ＭｇＮＢ／ＭＣＧであり、ＮＲはＳｅＮＢ／ＳｇＮＢ／ＳＣＧである。あるいは、マスタ基地局とセカンダリ基地局とが、対向する態様に構成される。
【０１７２】
ＰＨは、ＤＣシナリオにおける電力利用率の向上のために、動的に報告される。
【０１７３】
ＵＥが新たなデータを送信するためのアップリンクリソースを有するとき（ＬＴＥスケジューリング、ＮＲスケジューリング、又はその両方）には、ＵＥは、電力ヘッドルーム（ＰＨ）を計算する。ＰＨは、ＬＴＥ搬送波の若しくはＮＲ搬送波のＰＨか、又は、ＵＥの最大送信電力に対するＰＨであり得る。
【０１７４】
ＰＨを報告するかどうかは、異なるＰＨの予め設定された閾値に従って、決定される。ＰＨは、ＰＵＣＣＨ又はＭＡＣ  ＣＥを通じて、ＭＣＧ及び／又はＳＣＧに報告され得る。
【０１７５】
上述の６つの例に加えて、この実施形態では、ＬＴＥのＤＣは、二つのアップリンク電力割り当てモードを有する。電力制御モード１（ＰＣＭ１）は、一般に、同期ＤＣのために用いられ、ＵＥが、最小の保証された電力を、それぞれのＣＧに割り当てる。残存電力は、送信情報のタイプに従い、ＭＣＧとＳＣＧとによって、配分される。電力制御モード２（ＰＣＭ２）は、一般に、非同期ＤＣのために用いられ、ＵＥは、また、最小の保証された電力を、それぞれのＣＧに割り当て、残存電力は、その送信タイミングが早いＣＧによって用いられる。
【０１７６】
ＮＲが同じヌメロロジー（例えば、副搬送波間隔、循環プレフィクスなど）を用いる供給側のｅＭＢＢのＵＥのためだけに用いられる場合には、ＬＴＥのＰＣＭ１又はＰＣＭ２が、再度用いられ得る。しかし、ＮＲはより多くのシナリオと問題とを有しており、従って、ＮＲのキャリアアグリゲーション（ＣＡ）／デュアルコネクティビティ（ＤＣ）電力制御機構を最適化することが必要である。
【０１７７】
本出願における例は、説明されたシナリオには限定されず、類似のシナリオ又は類似のシステムに適用され得る。以下の例は、個別的に又は組合せとして、実装され得る。
【０１７８】
例７：異なるトラフィックの多重化
ＵＥに関しては、ＵＬのｅＭＢＢデータが送信されつつあり、ＵＬのＵＲＬＬＣデータがこの時点で到着する場合には、ＵＲＬＬＣデータは、ＵＲＬＬＣのレイテンシ要件を満たすために、直ちに送信される必要がある。
【０１７９】
ｅＭＢＢとＵＲＬＬＣとがＦＤＭを用いる場合には、ＵＲＬＬＣは、より高い優先順位を有するべきであり、充分な電力を割り当てられるべきである。すなわち、ＵＲＬＬＣの電力要件が満たされるべきである。ｅＭＢＢの電力はＰ＿ｅｍｂｂであり、ＵＲＬＬＣの電力はＰ＿ｕｒｌｌｃであると仮定される。
【０１８０】
Ｐ＿ｕｒｌｌｃ＞Ｐｃｍａｘ−Ｐ＿ｅｍｂｂである場合には、ＵＲＬＬＣによって要求される電力は、ＵＥの残存電力よりも大きい。よって、ｅＭＢＢとＵＲＬＬＣとが同時に送信される直交周波数分割多重化（ＯＦＤＭ）のシンボルに基づいて、Ｐ＿ｅｍｂｂが縮小されるべきである。縮小された電力は、ＵＲＬＬＣの送信のために用いられる。この動作が実行され、一つのサブフレーム又はスロットにおける送信電力は、もはや一定に保たれない。上述の電力割り当てを達成するためには、二つの場合が考察されることが必要である。
【０１８１】
場合１：スケジューリング付与に基づくＵＬのＵＲＬＬＣ
スケジューリングに基づくＵＬのＵＲＬＬＣのためには、ｇＮＢが、ＵＲＬＬＣが送信される前に、ｅＭＢＢの電力を再度割り当てるために、明示的な優先順位の指示を、ＵＥに送信し得る。ｅＭＢＢの電力は、ＵＲＬＬＣのシンボルが送信されるため、再度割り当てられることが必要になり得る。すなわち、二段階の電力制御が使用される場合がある。
【０１８２】
明示的な優先順位の指示は、ＤＣＩを通じて、送信され得る。
【０１８３】
場合２：スケジューリング付与の免除に基づくＵＬのＵＲＬＬＣ
非明示的な方法が、付与免除されたＵＬのＵＲＬＬＣに基づいて、考察され得る。ｇＮＢは、ＵＥによって送信されたＵＬのＵＲＬＬＣ信号を検出する。ｇＮＢは、事前に定義された原理に基づいてＵＥがｅＭＢＢの電力を再度割り当てることを想定する。この事前に定義された原理は、ＵＲＬＬＣのために好ましく電力を保証するという上述の原理である。
【０１８４】
例８：異なるデュープレクスモード
ＮＲのＣＡ／ＤＣ上の異なる複数の搬送波は、異なるデュープレクスモードで動作し得る。
【０１８５】
上述のアップリンク送信のための最小の保証された電力を保存することにより、ＣＧのスロット又はサブフレームがＵＬからＤＬ／アイドル／保存に変更された場合には、ＣＧに割り当てられた保証されている電力は、このスロットにおけるＵＬトラフィック送信を有するＣＧに与えられる又は再度割り当てられることがあり得る。
【０１８６】
すなわち、それぞれのＣＧの保証されている電力（一般に、最小の保証された電力）は、固定されているか、又は、用いられていないときには他の当事者に貸与され得る。この時点で、自身の最小の保証された電力は現実には０であり、他の当事者の最小の保証された電力は、他の当事者自身の先の最小の保証された電力と、借りた最小の保証された電力との和である。
【０１８７】
この方法を用いると、電力の使用効率が改善され、これは、特にＵＬの電力が限定されているシナリオの場合に、システムのスループットを改善しカバレッジを強化するために有益である。柔軟なデュープレクス又は動的なＴＤＤなどのデュープレクス機構のためには、スロット又はサブフレームの送信方向が、動的に変化する。保証されている電力を再度割り当てる上述の方法を実行するためには、ｇＮＢが、ＵＥに、スロット／サブフレームのリンク方向情報又はリンク方向変更の情報を、告知することができる。この告知は、ＤＣＩを通じて、実行され得る。
【０１８８】
例９：強化されたカバレッジ
ＤＣは、主に、可動性及びカバレッジの強化のために、用いられる。保証されている電力（又は最小の保証された電力）がそれぞれのＣＧのために構成されている場合には、それぞれのＣＧ又はそれぞれのｇＮＢの電力は、最大送信電力（Ｐｃｍａｘ）以下であり、電力の制限がアップリンクカバレッジの問題を生じさせる可能性がある。電力制限問題を解決するためには、保存されている保証された電力をどのように用いるかを考えることが必要である。
【０１８９】
ＮＲとＮＲとの間のＤＣに関しては、複数のＣＧの間のスケジューリング及びハイブリッド自動反復リクエスト（ＨＡＲＱ）機構は、相互に独立であるが、その理由は、ＭｇＮＢとＳｇＮＢとの間の接続が非理想的なバックホール接続であり、ＭｇＮＢとＳｇＮＢとがスケジューリング情報に関して動的に対話することが不可能であるからである。しかし、ＵＥの観点からは、ＵＥは、ＭｇＮＢ及びＳｇＮＢからのすべての情報を有しており、情報の二つの部分は、ＵＥの内部的な実装において、配分され得る。よって、ＵＥの観点からは、ＤＣは、より多くの動的電力割り当て又は電力配分を用いることができる。
【０１９０】
例えば、方法１では、より多くの動的電力ヘッドルーム（ＰＨＲ）状態又は他の情報が、アップリンク制御情報（ＵＣＩ）を通じて報告される。
【０１９１】
方法２では、いくつかのスロット／サブフレームが、あるｇＮＢ又はＣＧのために半静的に保存されており、これらのスロット／サブフレームは、そのｇＮＢ又はＣＧのＵＬの送信のために用いられ得るし、他のｇＮＢ又はＣＧは、これらのスロット／サブフレームにおけるＵＬの送信を停止させる必要がある。
【０１９２】
ＬＴＥとＮＲとの間のＤＣのためには、二つのタイプのスロット／サブフレームが定義され、第１のタイプのスロット／サブフレームはＬＴＥのために用いられ、第２のタイプのスロット／サブフレームはＮＲのために用いられる。あるいは、これらの二つのタイプのスロット／サブフレームのために優先順位が定義され、第１のタイプのスロット／サブフレームはＮＲのために用いられることは不可能であり、ＬＴＥのために用いられないときにだけ、ＮＲのために用いられることが可能である。第２のタイプのスロット／サブフレームは、ＬＴＥのために用いられることは不可能であり、ＮＲのために用いられないときにだけ、ＬＴＥのために用いられることが可能である。
【０１９３】
上述の方法は、ＬＴＥのＤＣのＰＣＭ１／ＰＣＭ２（電力スケーリング又は最小の保証された電力）など、他の電力制御ソリューションと共に、用いられ得る。
【０１９４】
方法１及び方法２におけるＵＣＩ情報は、（１）ＵＬからＤＬに切り替えられつつある又はスロット／サブフレーム／シンボルにおいてアイドル状態にある、ＣＧにおけるｉ番目の成分搬送波ＣＣｉ、（２）スロット／サブフレーム／シンボルのシリアル番号若しくは開始位置、又は、終了位置、又は、継続時間のうちの少なくとも一つ、（３）電力オフセット値、のうちの少なくとも一つを含む。
【０１９５】
例１０：より広い帯域幅
より広い帯域幅は、帯域幅を構成する複数の部分を含むか、又は、それらに分割され、帯域幅のこれらの部分間の関係は、帯域内のＣＡと類似している。ＮＲのＣＡのほとんどの電力制御ソリューションは、帯域幅のこれらの部分の集合のために用いられ得る。帯域幅の部分と周波数帯域の中の搬送波の集合との間の主な差異と、対応するソリューションとは、以下のステップを含む。
【０１９６】
（１）帯域幅の複数の部分、すなわち、同じタイミングアライメントグループ（ＴＡＧ）に属する、より幅の広い帯域幅の内部にある帯域幅の複数の部分の間には、同期的なシナリオだけが想定され得る。（２）より幅の広い帯域幅の内部にある帯域幅の複数の部分は、一つの共通の経路損失値又は基準信号受信電力（ＲＳＲＰ）を用いる。経路損失値又はＲＳＲＰは、ＵＬの電力制御を実行するために、帯域幅のそれらの部分のために、用いられる。共通の経路損失値又はＲＳＲＰは、限定されている又は基準となる帯域幅の一部分の測定に基づいて、取得され得る。チャネル状態情報−基準信号（ＣＳＩ−ＲＳ）／同期信号（ＳＳ）は、ＲＳＲＰ測定など無線リソース管理（ＲＲＭ）測定の帯域幅の一部の上を送信される。
【０１９７】
あるいは、ＣＳＩ−ＲＳ又はＳＳは、ＲＲＭ測定のためのより広い帯域幅の内部の帯域幅のすべて又は複数の部分にわたって、別個に送信される。すなわち、ＲＲＭ測定は、帯域幅のすべての又は複数の部分とは独立に実行され、アップリンク電力制御は、それ自体の測定されたＲＳＲＰ又は経路損失値を用いることによって実行される。
【０１９８】
（３）帯域幅の複数の部分によって用いられる異なるヌメロロジー（例えば、副搬送波間隔）によって生じる干渉を減少させ、帯域幅のガードインターバルを縮小させるために、より小さな電力が、帯域幅の部分のエッジにおけるリソースブロック（ＲＢ）に、割り当てられる。
【０１９９】
例１１：低周波数（ＬＦ）の周波数帯域と高周波数（ＨＦ）の周波数帯域との組合せ
二つの組合せ搬送波（それぞれが、低周波数と高周波数とに属する）の同時送信が不可能であるという問題を解決するため、これらの二つの搬送波は、ＣＡ／ＤＣ動作が実行されるときに、ＴＤＭ態様を用いる。類似の方法のために、強化されたカバレッジなど、他の例が、基準とされる場合もある。
【０２００】
例１２：補助的アップリンク周波数（ＳＵＬ）
主な問題は、ＳＵＬ周波数と専用搬送波の周波数との間の特性の差異が大きい、ということである。ある方法では、ＳＵＬ搬送波又はＳＵＬとペアになったダウンリンク搬送波に位置しているダウンリンクのスロット／サブフレームが構成される。ＣＳＩ−ＲＳ／ＳＳは、ＵＥがＲＳＲＰ又は経路損失測定を実行するために、そのようなダウンリンクのスロット／サブフレーム上で送信される。測定信号は、周期的に又は非周期的に送信され得る。オーバヘッドを縮小させるため、周期は、長い周期として構成され得るか、又は、長い周期の間に一度、送信及び測定がトリガされる。
【０２０１】
例１３：二つのステップ（２−ステップ）による電力制御
スケジューリングの付与とＵＬの送信との間には時間的間隔が存在するため、ＵＥは、ＬＴＥとＮＲとの両方のリンクのために、送信電力を計算して割り当てる時間を有する。２−ステップの電力制御が、電力を動的に再度割り当てるために用いられることが可能であり、この特定の方法は、以下のステップを含む。
【０２０２】
ステップ１では、電力割り当てが、既存のＵＬ電力制御アルゴリズムに従って、実行される。例えば、当初の電力制御コマンドとスケジューリングの付与とが、一緒に、ＵＥに送信される。
【０２０３】
ステップ２では、必要であれば、電力が再度割り当てられる。
【０２０４】
例えば、ＵＲＬＬＣ送信が存在するときには、電力は、送信の前に再度割り当てられ、ＵＥは、ＤＣＩを用いることによって、指示される。ｅＭＢＢ送信電力は、ＵＥのＵＲＬＬＣ送信のために、又は、近傍におけるＵＲＬＬＣトラフィックにおける干渉減少のために、ゼロにまで動的に縮小されることがある。
【０２０５】
ステップ２におけるＤＣＩは、（１）ＵＬからＤＬに切り替えられつつある又はスロット／サブフレーム／シンボルにおいてアイドル状態にある、ＣＧにおけるｉ番目の成分搬送波ＣＣｉ、（２）スロット／サブフレーム／シンボルのシリアル番号若しくは開始位置、又は、終了位置、又は、継続時間のうちの少なくとも一つ、（３）電力オフセット値、という情報のうちの少なくとも一つを含む。
【０２０６】
ＤＣＩを経由する明示的な指示に加えて、非明示的な方法が考察されることもあり得る。ｇＮＢは、ＵＥによって送信されたＵＬのＵＲＬＬＣ信号を検出する。ｇＮＢは、事前に定義された原理に基づいてＵＥがｅＭＢＢの電力を再度割り当てる、と想定する。この事前に定義された原理は、好ましくは、ＵＲＬＬＣのために、電力又は電力スケーリングレベルを保証している。
【０２０７】
例１４：ＮＲ及びＬＴＥのＤＣ
ＮＲ及びＬＴＥのＤＣは、複数のＮＲの間のＤＣの特別なシナリオであり、すなわち、複数の異なる無線アクセス技術（ＲＡＴ）の間の協調が含まれる。ＬＴＥとＮＲとが相互に独立であるということを考慮して、ＬＴＥとＮＲとのＤＣの間の電力配分が、半静的に、構成され得る。例えば、最大送信電力は、（ＬＴＥのＣＧ又はＮＲのＣＧのうちの少なくとも一方を含む）それぞれのＣＧに対して、別々に、構成される。トラフィックタイプとチャネルタイプとの優先順位に従って、電力配分が、それぞれのＣＧの内部の成分搬送波の間で実行され得る。複数の異なるＣＧの最大電力は、固定され得る、又は、動的に変更され得る。低い優先順位のＣＧの最大電力は、複数の他のＣＧの最大電力を加算した後のヘッドルームである。
【０２０８】
例１５：二つのタイプの変調及びコーディング方式（ＭＣＳ）の電力補償
アップリンク電力制御アルゴリズムでは、ＭＣＳフォーマットのための電力補償が考慮され、これが、Ｄｅｌｔａ＿ＭＣＳ（プロトコルＴＳ３６．２１３のバージョンリリース１４．０．０を参照）において、具体化されている。送信時間間隔（ＴＴＩ）における送信の間に、何らかのリソース及び電力が、ＵＲＬＬＣ送信など、他のトラフィックに与えられる。受信パフォーマンスを向上させるためには、ＵＲＬＬＣによって占められていない他のリソースに対して電力補償を実行することが必要である。
【０２０９】
従って、二つのタイプのＭＣＳ電力補償が設定される。
【０２１０】
第１のタイプ（Ｄｅｌｔａ＿ＭＣＳ１）は、次の通り、すなわち、電力の再割り当ては実行されない。例えば、通常の送信が、当初の電力制御に従って、実行される。
【０２１１】
第２のタイプ（Ｄｅｌｔａ＿ＭＣＳ２）は、次の通り、すなわち、電力の再割り当てが実行される。例えば、ｅＭＢＢのリソースの一部が使用のためにＵＲＬＬＣに与えられるときには、電力の再割り当てが実行され、ＵＲＬＬＣによって用いられないリソースについては、Ｄｅｌｔａ＿ＭＣＳ２の値が増加される。
【０２１２】
実施形態４
本出願のある実施形態は、さらに、記憶媒体を提供する。この実施形態では、記憶媒体が、以下で述べるステップを実行するためのプログラムコードを記憶するように構成され得る。
【０２１３】
Ｓ１では、第１の搬送波上のユーザ機器（ＵＥ）の送信電力と第２の搬送波上のＵＥの送信電力とが、決定される。
【０２１４】
Ｓ２では、第１の搬送波上の送信電力に従い、第１の搬送波上のＵＥによって送信された第１のアップリンクトラフィックが受信され、第２の搬送波上の送信電力に従い、第２の搬送波上のＵＥによって送信された第２のアップリンクトラフィックが受信される。
【０２１５】
この実施形態では、上述の記憶媒体は、これらに限定されることはないが、ＵＳＢフラッシュディスク、リードオンリメモリ（ＲＯＭ）、ランダムアクセスメモリ（ＲＡＭ）、モバイルハードディスク、磁気ディスク、光ディスク、又はプログラムコードを記憶することができるそれ以外の媒体を含み得る。
【０２１６】
この実施形態では、プロセッサは、記憶媒体における記憶されたプログラムコードに従い、第１の搬送波上のＵＥの送信電力と、第２の搬送波上のＵＥの送信電力とを決定するステップを実行する。
【０２１７】
この実施形態では、プロセッサは、記憶媒体における記憶されたプログラムコードに従い、第１の搬送波上の送信電力に従い第１の搬送波上でＵＥによって送信された第１のアップリンクトラフィックと、第２の搬送波上の送信電力に従い第２の搬送波上でＵＥによって送信された第２のアップリンクトラフィックとを受信するステップを実行する。例えば、この実施形態では、上述の実施形態及び最適な実施形態において説明された例が参照されるが、これらの例は、この実施形態では、反復されない。
【０２１８】
本出願の上述されたモジュール又はステップのそれぞれは、汎用計算機によって実装され得るということ、これらのモジュール又はステップを単一の計算機上に集中させ得る又は複数の計算機によって構成されるネットワーク上に分散させ得ることは、当業者によって理解されるはずである。ある実施形態では、本出願のモジュール又はステップのそれぞれは、計算機によって実行可能なプログラムコードによって実装され得るのであって、これらのモジュール又はステップは、記憶装置に記憶され、計算機によって実行され得る。いくつかの状況では、図解され又は説明されたステップは、本明細書で上述された場合とは異なるシーケンスとして実行される、又は、実装のために、これらのモジュール若しくはステップが様々な集積回路モジュールの中に別々に内蔵される、若しくは、本明細書の複数のモジュール若しくはステップが、単一の集積回路モジュールの中に内蔵されることがあり得る。このように、本出願は、ハードウェアとソフトウェアとのいかなる特定の組合せにも限定されない。
【図１】
2020529752.tif 000004
【図２】
2020529752.tif 000005
【図３】
2020529752.tif 000006
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
無線通信方法であって、
デュアルコネクティビティをサポートするユーザ機器（ＵＥ）により、マスタセルグループのための第１の搬送波での第１の送信電力を、前記第１の搬送波のための第１の搬送波の最大送信電力に基づいて、決定するステップと、
前記ＵＥにより、前記第１の搬送波における前記第１の送信電力に従って、第１のサブフレームを使用して前記第１の搬送波により第１のアップリンクトラフィックを送信し、
第２の送信電力に従って、第２のスロットを使用して、第２のセルグループのための第２の搬送波により第２のアップリンクトラフィックを送信するステップと
を備え、
前記第２の搬送波上の第２の送信電力は、
前記第１の送信電力と第１の値の合計が前記ＵＥの最大送信値を超えない場合の第２の搬送波最大送信値に基づく第１の値、又は
前記第１の送信電力と前記第１の値の合計が前記ＵＥの最大送信電力を超える場合に、前記第１の値を減らすことに基づいて決定される第２の値
のうちの１つである、無線通信方法。
【請求項２】
前記第１のサブフレームを使用して前記第１のアップリンクトラフィックを送信し、
前記第２のスロットを使用して第２のアップリンクトラフィックを同時に送信する
請求項１に記載の方法。
【請求項３】
前記第１の搬送波が第１の無線アクセス技術（ＲＡＴ）の搬送波であり、
前記第２の搬送波が第２のＲＡＴの搬送波である、請求項１に記載の方法。
【請求項４】
前記第１のアップリンクトラフィックが、ロングタームエボリューション（ＬＴＥ）アップリンクトラフィックを含み、
前記第２のアップリンクトラフィックが、新たな無線（ＮＲ）アップリンクトラフィックを含む、請求項１に記載の方法。
【請求項５】
前記第１のサブフレームは、前記第１の搬送波上でアップリンクトラフィックのみを送信するために使用される、請求項１に記載の方法。
【請求項６】
前記ＵＥは、無線リソース制御（ＲＲＣ）シグナリングメッセージを通じたサブフレームタイプにより構成される、請求項１に記載の方法。
【請求項７】
無線通信方法であって、
ユーザ機器（ＵＥ）によって、基地局から無線リソース制御（ＲＲＣ）シグナリングメッセージを受信するステップであって、前記ＲＲＣシグナリングメッセージは、マスタセルグループのみのための第１の搬送波によりアップリンクトラフィックを送信するためのサブフレームタイプを構成するステップと、
前記ＵＥにより、構成されたサブフレームタイプに対応するサブフレームを使用して、前記第１の搬送波における第１のアップリンクトラフィックを、時間領域における第１の時間において送信するステップと
を備える無線通信方法。
【請求項８】
前記ＵＥにより、前記第１の時間とは異なる時間領域の第２の時間において、スロットを使用した第２のセルグループのための第２の搬送波における第２のアップリンクトラフィックを送信する、請求項７に記載の方法。
【請求項９】
デュアルコネクティビティ（ＤＣ）をサポートする無線通信装置であって、
プロセッサと、
プロセッサで実行可能な命令を記憶するメモリと
を備え、
前記プロセッサによる実行時における、前記プロセッサで実行可能な命令は、前記プロセッサに、
第１の搬送波のための第１の搬送波の最大送信電力に基づいて、マスタセルグループの第１の搬送波の第１の送信電力を決定させ、
前記第１の送信電力に従って第１のサブフレームを使用して第１の搬送波上で第１のアップリンクトラフィックを送信させ、第２の送信電力に従って第２のスロットを使用して第２のセルグループのための第２の搬送波上で第２のアップリンクトラフィックを送信させるよう構成され、
前記第２の搬送波上の第２の送信電力は、
前記第１の送信電力と第１の値の合計が前記ＵＥの最大送信値を超えない場合の第２の搬送波最大送信値に基づく第１の値、又は
前記第１の送信電力と前記第１の値の合計が前記ＵＥの最大送信電力を超える場合に、前記第１の値を減らすことに基づいて決定される第２の値
のうちの１つである、無線通信装置。
【請求項１０】
前記プロセッサは、同時に、前記第１のサブフレームを使用して第１のアップリンクトラフィックを送信すると共に、前記第２のスロットを使用して前記第２のアップリンクトラフィックを送信する、請求項９に記載の無線通信装置。
【請求項１１】
前記第１の搬送波は第１のＲＡＴの搬送波であり、前記第２の搬送波は第２のＲＡＴの搬送波である、請求項９に記載の無線通信装置。
【請求項１２】
前記第１のアップリンクトラフィックはロングタームエボリューション（ＬＴＥ）アップリンクトラフィックを含み、前記第２のアップリンクトラフィックは、新たな無線（ＮＲ）アップリンクトラフィックを含む、請求項９に記載の無線通信装置。
【請求項１３】
前記第１のサブフレームは、前記第１の搬送波上でアップリンクトラフィックのみを送信するために使用される、請求項９に記載の無線通信装置。
【請求項１４】
前記装置は、無線リソース制御（ＲＲＣ）シグナリングメッセージを通じたサブフレームタイプで構成される、請求項９に記載の無線通信装置。
【請求項１５】
デュアルコネクティビティ（ＤＣ）をサポートする無線通信装置であって、
プロセッサと、
前記プロセッサで実行可能な命令を記憶するメモリと
を備え、
前記プロセッサによって実行されると、前記プロセッサで実行可能な命令は、プロセッサに、
基地局から、マスタセルグループのみのための第１の搬送波によりアップリンクトラフィックを送信するためのサブフレームタイプを構成する無線リソース制御（ＲＲＣ）シグナリングメッセージを受信させ、
構成されたサブフレームタイプに対応するサブフレームを使用して、前記第１の搬送波における第１のアップリンクトラフィックを、時間領域における第１の時間において送信させるよう構成される
ことを特徴とする、無線通信装置。
【請求項１６】
前記プロセッサはさらに、
前記第１の時間とは異なる時間領域の第２の時間において、スロットを使用した第２のセルグループのための第２の搬送波における第２のアップリンクトラフィックを送信する、請求項１５に記載の無線通信装置。
【請求項１７】
コンピュータによって読み取り可能なコードを格納し、前記コードは、プロセッサによって実行されたときに、プロセッサに請求項１〜８のいずれかの方法を実行させる、非一時的なコンピュータ可読記憶媒体。
【国際調査報告】
2020529752.tif 000007
2020529752.tif 000008
2020529752.tif 000009
2020529752.tif 000010